(57)【特許請求の範囲】
【請求項１】
複数種類の制御コマンドを送信する主制御部と、前記主制御部によって送信された複数種類の制御コマンドの各々に基づいて所定の処理を行う周辺部と、を備える遊技機において、
前記主制御部は、
前記主制御部を識別するための複数種類の個体識別値を記憶する個体識別値記憶手段と、
前記周辺部に送信した前記制御コマンドの履歴を示す履歴データを予め定められた履歴生成方式で生成する履歴データ生成手段と、
前記個体識別値記憶手段が記憶している複数種類の個体識別値の中から１つの個体識別値を無作為に選択する選択手段と、
前記選択手段が選択した個体識別値を予め定められた付加方式で前記履歴データに付加して認証情報を生成する認証情報生成手段と、
前記認証情報生成手段が生成した認証情報と前記制御コマンドを前記周辺部に送信する送信手段と、を備え、
前記周辺部は、
前記主制御部の前記複数種類の個体識別値の各々に一致する複数種類の期待値を記憶する期待値記憶手段と、
前記主制御部から前記認証情報と前記制御コマンドを受信する受信手段と、
前記主制御部から受信した前記制御コマンドの履歴を示す周辺側履歴データを前記主制御部と同一の前記履歴生成方式で生成する周辺側履歴データ生成手段と、
前記複数種類の期待値と前記主制御部と同一の前記付加方式とに基づいて、前記受信した認証情報から複数の認証用履歴データを抽出する認証用履歴データ抽出手段と、
前記認証用履歴データ抽出手段が抽出した複数の認証用履歴データの中に前記周辺側履歴データと一致するものが存在するか否かの判定結果に基づいて、前記主制御部の認証を行う認証手段と、を備えることを特徴とする遊技機。
【請求項２】
前記主制御部は、
前記複数種類の制御コマンドの中から予め定められた検出対象制御コマンドの発生又は送信を検出する制御コマンド検出手段と、
前記制御コマンド検出手段の検出に応じて、前記認証情報生成手段が用いる前記付加方式を予め定められた切替方式で切り替える付加方式切替手段と、を備え、
前記周辺部は、
前記主制御部で予め定められた検出対象制御コマンドの前記主制御部からの受信を検出する周辺側制御コマンド検出手段と、
前記周辺側制御コマンド検出手段の検出に応じて、前記認証用履歴データ抽出手段が用いる前記付加方式を前記主制御部と同一の前記切替方式で切り替える周辺側付加方式切替手段と、を有することを特徴とする請求項１に記載の遊技機。
【請求項３】
前記主制御部は、前記制御コマンド検出手段の検出に応じて、前記履歴データ生成手段が用いる前記履歴生成方式を予め定められた履歴切替方式で切り替える履歴生成方式切替手段を備え、
前記周辺部は、前記周辺側制御コマンド検出手段の検出に応じて、前記周辺側履歴データ生成手段が用いる前記履歴生成方式を前記主制御部と同一の前記履歴切替方式で切り替える周辺側履歴生成方式切替手段を備えることを特徴とする請求項２に記載の遊技機。
【請求項４】
前記主制御部は、
前記複数種類の制御コマンドの中から予め定められた検出対象制御コマンドの発生又は送信を検出する制御コマンド検出手段と、
前記制御コマンド検出手段の検出に応じて、前記履歴データ生成手段が用いる前記履歴生成方式を予め定められた履歴切替方式で切り替える履歴生成方式切替手段と、を備え、
前記周辺部は、
前記主制御部で予め定められた検出対象制御コマンドの前記主制御部からの受信を検出する周辺側制御コマンド検出手段と、
前記周辺側制御コマンド検出手段の検出に応じて、前記周辺側履歴データ生成手段が用いる前記履歴生成方式を前記主制御部と同一の前記履歴切替方式で切り替える周辺側履歴生成方式切替手段と、を備えることを特徴とする請求項１に記載の遊技機。
【請求項５】
前記履歴データが、前記周辺部に送信した前記制御コマンドの複数回分の履歴を示すデータであり、前記周辺側履歴データが、前記主制御部から受信した前記制御コマンドの複数回分の履歴を示すデータであることを特徴とする請求項１〜４の何れか１項に記載の遊技機。
【請求項６】
複数種類の制御コマンドを送信する主制御部と、前記主制御部によって送信された複数種類の制御コマンドの各々に基づいて所定の処理を行う周辺部と、を備える請求項１に記載の遊技機の認証方法において、
前記主制御部が処理する工程には、
前記周辺部に送信した前記制御コマンドの履歴を示す履歴データを予め定められた履歴生成方式で生成する履歴データ生成工程と、
個体識別値記憶手段が記憶している前記主制御部を識別するための複数種類の個体識別値の中から１つの個体識別値を無作為に選択する選択工程と、
前記選択工程で選択した個体識別値を予め定められた付加方式で前記履歴データに付加して認証情報を生成する認証情報生成工程と、
前記認証情報生成工程で生成した認証情報を前記周辺部に送信する送信工程と、が含まれ、
前記周辺部が処理する工程には、
前記主制御部から受信した前記制御コマンドの履歴を示す周辺側履歴データを前記主制御部と同一の前記履歴生成方式で生成する周辺側履歴データ生成工程と、
前記主制御部から前記認証情報を受信する受信工程と、
期待値記憶手段が記憶している前記主制御部の前記複数種類の個体識別値の各々に一致する複数種類の期待値と前記主制御部と同一の前記付加方式とに基づいて、前記受信した認証情報から複数の認証用履歴データを抽出する認証用履歴データ抽出工程と、
前記認証用履歴データ抽出工程で抽出した複数の履歴データの中に前記周辺側履歴データと一致するものが存在するか否かの判定結果に基づいて、前記主制御部の認証を行う認証工程と、が含まれることを特徴とする遊技機の認証方法。
【発明の詳細な説明】
【技術分野】
【０００１】
本発明は、複数の基板を備え、これらの基板間の通信の認証を行う遊技機及び遊技機の認証方法に関する。
【背景技術】
【０００２】
従来、複数の基板を備えた遊技機において、これら各基板に対する不正を防止するための様々な技術が提案されている。複数の基板を備えた遊技機とは、たとえば、ぱちんこ遊技機などがある。ぱちんこ遊技機には、遊技機全体の動作を司る主制御基板と、遊技機の各部の動作をおこなう被制御基板（周辺基板）とを備えている。この主制御基板は、周辺基板に制御コマンドを含む制御信号を出力し、その他の周辺基板は、主制御基板から送信された制御信号にしたがって動作を実行する機能を備えている。
【０００３】
このような構成の遊技機の場合、主制御基板に対する不正としては、たとえば、正規の主制御基板を不正な制御基板に取り替えたり、主制御基板がおこなう処理を規定したプログラムコードを改ざんしたりといった手法がある。このような不正を防止するため、たとえば、主制御基板内に搭載されたＲＯＭに記録されているプログラムデータをＲＯＭチェッカによってチェックして、ＲＯＭの不正交換などを防止する技術が提案されている（たとえば、下記特許文献１参照。）。
【０００４】
また、特許文献２には、主制御基板からサブ制御基板に制御コマンドを送信し、さらに所定の通信経路における制御コマンドの通信状態を監視するための状態監視コマンドを送信し、サブ制御基板が状態監視コマンドを用いて制御コマンドの正当性を検証し、誤りがあると判定した場合には制御対象の制御を停止する構成が記載されている。
【先行技術文献】
【特許文献】
【０００５】
【特許文献１】特開平１１−３３３１０８号公報
【特許文献２】特開２００２−１８０９５号公報
【発明の概要】
【発明が解決しようとする課題】
【０００６】
しかしながら、上述した特許文献１の場合、プログラムデータの改ざんは検知できるが、正規の主制御用基板と被制御基板との間に不正な制御基板が接続されてしまうと、この不正な制御基板から出力される不正な制御信号による不正制御を防止することができないという問題があった。
【０００７】
また、上述した特許文献２のように、制御コマンドとは別の状態監視コマンドを主制御基板から被制御基板に送信する場合、遊技機は不正行為（「ゴト」行為）が行われる可能性があり、主制御側と被制御側との間に介在した前記不正な制御基板等によって状態監視コマンドが不正に解析されやすいため、その解析を困難にできないと、特許文献２の構成等を遊技機で実現させるのが困難であった。さらに、送信する際に複雑な暗号化をしてしまうと、正規な主制御基板及び被制御基板の各々の処理が複雑化して処理負担が増加してしまうという問題が生じてしまう。また、主制御部の処理負担を認証処理のために増加させることができないという遊技機の特有の問題もあった。
【０００８】
この発明は、上述した従来技術による問題点を解消するため、主制御部の処理負担を最小限にして、制御コマンドの通信継続性に基づく認証ができ且つ認証に用いる認証情報の解析を困難にすることができる遊技機及び遊技機の認証方法を提供することを目的とする。
【課題を解決するための手段】
【０００９】
本発明にかかる請求項１記載の遊技機は、複数種類の制御コマンドを送信する主制御部と、前記主制御部によって送信された複数種類の制御コマンドの各々に基づいて所定の処理を行う周辺部と、を備える遊技機において、前記主制御部は、前記主制御部を識別するための複数種類の個体識別値を記憶する個体識別値記憶手段と、前記周辺部に送信した前記制御コマンドの履歴を示す履歴データを予め定められた履歴生成方式で生成する履歴データ生成手段と、前記個体識別値記憶手段が記憶している複数種類の個体識別値の中から１つの個体識別値を無作為に選択する選択手段と、前記選択手段が選択した個体識別値を予め定められた付加方式で前記履歴データに付加して認証情報を生成する認証情報生成手段と、前記認証情報生成手段が生成した認証情報と前記制御コマンドを前記周辺部に送信する送信手段と、を備え、前記周辺部は、前記主制御部の前記複数種類の個体識別値の各々に一致する複数種類の期待値を記憶する期待値記憶手段と、前記主制御部から前記認証情報と前記制御コマンドを受信する受信手段と、前記主制御部から受信した前記制御コマンドの履歴を示す周辺側履歴データを前記主制御部と同一の前記履歴生成方式で生成する周辺側履歴データ生成手段と、前記複数種類の期待値と前記主制御部と同一の前記付加方式とに基づいて、前記受信した認証情報から複数の認証用履歴データを抽出する認証用履歴データ抽出手段と、前記認証用履歴データ抽出手段が抽出した複数の認証用履歴データの中に前記周辺側履歴データと一致するものが存在するか否かの判定結果に基づいて、前記主制御部の認証を行う認証手段と、を備えることを特徴とする。
【００１０】
上記請求項１に記載した本発明の遊技機によれば、主制御部の個体識別値記憶手段には、主制御部の個体識別を行うための複数種類の個体識別値が記憶される。そして、主制御部は、遊技機の動作に応じて制御コマンドを周辺部に送信すると、その履歴を示す履歴データを履歴生成方式で生成する。主制御部は、複数種類の個体識別値の中から１つの個体識別値を無作為に選択すると、該個体識別値を予め定められた付加方式で履歴データに付加して認証情報を生成して周辺部に送信することができる。一方、周辺部の期待値記憶手段には、主制御部の複数種類の個体識別値の各々と一致する複数種類の期待値が記憶される。そして、周辺部は、主制御部から制御コマンドを受信すると、該制御コマンドに対応した所定の処理を行うと共に、主制御部から受信した制御コマンドの履歴を示す周辺側履歴データを、主制御部と同一の履歴生成方式で生成する。周辺部は、主制御部から認証情報を受信すると、複数種類の期待値の各々と主制御部と同一の付加方式とに基づいて、受信した認証情報から複数の認証用履歴データを抽出する。周辺部は、抽出した複数の認証用履歴データの中に周辺側履歴データと一致するものが存在するか否かの判定結果に基づいて主制御部の認証を行うことができる。
【００１１】
請求項２記載の発明は、請求項１に記載の遊技機において、前記主制御部は、前記複数種類の制御コマンドの中から予め定められた検出対象制御コマンドの発生又は送信を検出する制御コマンド検出手段と、前記制御コマンド検出手段の検出に応じて、前記認証情報生成手段が用いる前記付加方式を予め定められた切替方式で切り替える付加方式切替手段と、を備え、前記周辺部は、前記主制御部で予め定められた検出対象制御コマンドの前記主制御部からの受信を検出する周辺側制御コマンド検出手段と、前記周辺側制御コマンド検出手段の検出に応じて、前記認証用履歴データ抽出手段が用いる前記付加方式を前記主制御部と同一の前記切替方式で切り替える周辺側付加方式切替手段と、を有することを特徴とする。
【００１２】
上記請求項２に記載した本発明の遊技機によれば、主制御部は、予め定められた検出対象制御コマンドの発生又は送信を検出すると、付加方式を予め定められた切替方式で切り替える。その後、主制御部は、切り替えた付加方式で個体識別値を履歴データに付加して認証情報を生成して周辺部に送信することができる。一方、周辺部は、予め定められた検出対象制御コマンドの受信を検出すると、付加方式を主制御部と同一の切替方式で切り替える。その後、周辺部は、切り替えた付加方式と複数種類の期待値に基づいて認証情報から複数の認証用履歴データを抽出し、該抽出した複数の認証用履歴データの中に周辺側履歴データと一致するものが存在するか否かの判定結果に基づいて主制御部の認証を行うことができる。
【００１３】
請求項３記載の発明は、請求項２に記載の遊技機において、前記主制御部は、前記制御コマンド検出手段の検出に応じて、前記履歴データ生成手段が用いる前記履歴生成方式を予め定められた履歴切替方式で切り替える履歴生成方式切替手段を備え、前記周辺部は、前記周辺側制御コマンド検出手段の検出に応じて、前記周辺側履歴データ生成手段が用いる前記履歴生成方式を前記主制御部と同一の前記履歴切替方式で切り替える周辺側履歴生成方式切替手段を備えることを特徴とする。
【００１４】
上記請求項３に記載した本発明の遊技機によれば、主制御部は、予め定められた検出対象制御コマンドの発生又は送信を検出すると、付加方式を前記切替方式で切り替えると共に、履歴生成方式を予め定められた履歴切替方式で切り替える。その後、主制御部は、遊技機の動作に応じて制御コマンドを周辺部に送信すると、当該切り替えた履歴生成方式でその履歴を示す履歴データを生成することができる。一方、周辺部は、予め定められた検出対象制御コマンドの受信を検出すると、付加方式を切り替えると共に、履歴生成方式を主制御部と同一の履歴切替方式で切り替える。その後、周辺部は、主制御部から制御コマンドを受信すると、該制御コマンドに対応した所定の処理を行うと共に、主制御部から受信した制御コマンドの履歴を示す周辺側履歴データを、切り替えた主制御部と同一の履歴生成方式で生成することができる。
【００１５】
請求項４記載の発明は、請求項１に記載の遊技機において、前記主制御部は、前記複数種類の制御コマンドの中から予め定められた検出対象制御コマンドの発生又は送信を検出する制御コマンド検出手段と、前記制御コマンド検出手段の検出に応じて、前記履歴データ生成手段が用いる前記履歴生成方式を予め定められた履歴切替方式で切り替える履歴生成方式切替手段と、を備え、前記周辺部は、前記主制御部で予め定められた検出対象制御コマンドの前記主制御部からの受信を検出する周辺側制御コマンド検出手段と、前記周辺側制御コマンド検出手段の検出に応じて、前記周辺側履歴データ生成手段が用いる前記履歴生成方式を前記主制御部と同一の前記履歴切替方式で切り替える周辺側履歴生成方式切替手段と、を備えることを特徴とする。
【００１６】
上記請求項４に記載した本発明の遊技機によれば、主制御部は、予め定められた検出対象制御コマンドの発生又は送信を検出すると、履歴生成方式を予め定められた履歴切替方式で切り替える。その後、主制御部は、遊技機の動作に応じて制御コマンドを周辺部に送信すると、当該切り替えた履歴生成方式でその履歴を示す履歴データを生成することができる。一方、周辺部は、予め定められた検出対象制御コマンドの受信を検出すると、履歴生成方式を主制御部と同一の履歴切替方式で切り替える。その後、周辺部は、主制御部から制御コマンドを受信すると、該制御コマンドに対応した所定の処理を行うと共に、主制御部から受信した制御コマンドの履歴を示す周辺側履歴データを、切り替えた主制御部と同一の履歴生成方式で生成することができる。
【００１７】
請求項５記載の発明は、請求項１〜４の何れか１項に記載の遊技機において、前記履歴データは、前記周辺部に送信した前記制御コマンドの複数回分の履歴を示すデータであり、前記周辺側履歴データは、前記主制御部から受信した前記制御コマンドの複数回分の履歴を示すデータであることを特徴とする。
【００１８】
上記請求項５に記載した本発明の遊技機によれば、主制御部は、制御コマンドを周辺部に送信すると、例えば、予め定められた回数分、奇数回、偶数回、等の制御コマンドに基づいた履歴データを生成し、履歴データ記憶手段の履歴データを更新する。一方、周辺部は、主制御部の履歴データに対応した周辺側履歴データを、主制御部から受信した複数の制御コマンドに基づいて生成して更新する。
【００１９】
本発明にかかる請求項６記載の遊技機の認証方法は、複数種類の制御コマンドを送信する主制御部と、前記主制御部によって送信された複数種類の制御コマンドの各々に基づいて所定の処理を行う周辺部と、を備える請求項１に記載の遊技機の認証方法において、前記主制御部が処理する工程には、前記周辺部に送信した前記制御コマンドの履歴を示す履歴データを予め定められた履歴生成方式で生成する履歴データ生成工程と、個体識別値記憶手段が記憶している前記主制御部を識別するための複数種類の個体識別値の中から１つの個体識別値を無作為に選択する選択工程と、前記選択工程で選択した個体識別値を予め定められた付加方式で前記履歴データに付加して認証情報を生成する認証情報生成工程と、前記認証情報生成工程で生成した認証情報を前記周辺部に送信する送信工程と、が含まれ、前記周辺部が処理する工程には、前記主制御部から受信した前記制御コマンドの履歴を示す周辺側履歴データを前記主制御部と同一の前記履歴生成方式で生成する周辺側履歴データ生成工程と、前記主制御部から前記認証情報を受信する受信工程と、期待値記憶手段が記憶している前記主制御部の前記複数種類の個体識別値の各々に一致する複数種類の期待値と前記主制御部と同一の前記付加方式とに基づいて、前記受信した認証情報から複数の認証用履歴データを抽出する認証用履歴データ抽出工程と、前記認証用履歴データ抽出工程で抽出した複数の履歴データの中に前記周辺側履歴データと一致するものが存在するか否かの判定結果に基づいて、前記主制御部の認証を行う認証工程と、が含まれることを特徴とする。
【００２０】
上記請求項６に記載した本発明の遊技機の認証方法によれば、主制御部は、遊技機の動作に応じて制御コマンドを周辺部に送信すると、その履歴を示す履歴データを履歴生成方式で生成する。主制御部は、個体識別値記憶手段が記憶している複数種類の個体識別値の中から１つの個体識別値を無作為に選択すると、該個体識別値を予め定められた付加方式で履歴データに付加して認証情報を生成して周辺部に送信することができる。一方、周辺部は、主制御部から制御コマンドを受信すると、該制御コマンドに対応した所定の処理を行うと共に、主制御部から受信した制御コマンドの履歴を示す周辺側履歴データを、主制御部と同一の履歴生成方式で生成する。周辺部は、主制御部から認証情報を受信すると、期待値記憶手段が記憶している複数種類の期待値の各々と主制御部と同一の付加方式とに基づいて、受信した認証情報から複数の認証用履歴データを抽出する。周辺部は、抽出した複数の認証用履歴データの中に周辺側履歴データと一致するものが存在するか否かの判定結果に基づいて主制御部の認証を行うことができる。
【発明の効果】
【００２１】
以上説明したように本発明によれば、主制御部が制御コマンドの履歴を示す履歴データに、無作為に選択した個体識別値を付加した認証情報を生成して周辺部に送信するようにしたことから、周辺部が認証情報の履歴データを主制御部の認証に用いても、無作為に選択した個体識別値が不規則に変化するため、認証情報の規則性がなくなり、認証情報に対する不正解析の防止を期待することができる。また、主制御部は、複数種類の個体識別値から１つの個体識別値を無作為に選択して履歴データに付加するだけでよいため、主制御部に記憶するプログラムのコード量の増加及び主制御部の処理負荷の増加を抑止することができる。さらに、主制御部は複数種類の個体識別値を予め記憶しておくことができるため、認証情報の生成時に複雑な演算を行う必要がなくなり、主制御部の処理負担の増加を防止できる。一方、周辺部は、履歴データに基づいて制御コマンドの通信継続性を確認して認証するようにしたことから、不正な制御コマンドによる不正な通信切り替えを検出することができるため、不正な通信切り替え防止に貢献することができる。しかも、周辺部は、認証情報から複数種類の期待値を用いて認証用履歴データを抽出することから、履歴データに正規の個体識別値が付加されていない場合、認証用履歴データと周辺側履歴データは一致しないため、不正を確実に検出することができる。さらに、周辺部が複数種類の期待値の各々と認証情報との全ての組み合わせを確認して主制御部の認証を行うようにしたことから、主制御部は個体識別値を単に選択するだけで良くなり、複雑な処理を盛り込む必要がなくすことができる。また、例えば主制御部と周辺部との間に不正基板などが介入するような場合、該不正基板における解析負荷が増大するために処理能力を高くしなければならないため、コストや設計難易度を増大させて、不正基板の製作抑止に貢献することができる。従って、主制御部の処理負担を最小限にして、制御コマンドの通信継続性が確認でき且つ認証に用いる認証情報の解析を困難にすることができる。
【００２２】
上述した遊技機において、主制御部及び周辺部は、検出対象制御コマンドの検出に応じて、付加方式を予め定められた切替方式に基づいて切り替えるようにしたことから、同一の履歴データに同一の個体識別値を付加しても生成する認証情報は異なるため、不正な解析をより一層困難にすることができる。また、検知対象制御コマンドを付加方式の切り替えタイミングとしているので、遊技機の起動後においても、主制御部と周辺部は同期して切り替えることができる。
【００２３】
上述した遊技機において、主制御部及び周辺部は、検出対象制御コマンドの検出に応じて、付加方式を予め定められた切替方式に基づいて切り替える共に、履歴生成方式を予め定められた履歴切り替え方式で切り替えるようにしたことから、履歴データに個体識別値を付加する付加方式が切り替えられると共に、履歴データの履歴生成方式も切り替えられるため、生成する認証情報に継続性がなくなり、不正な解析をより一層困難にすることができる。
【００２４】
上述した遊技機において、主制御部及び周辺部は、検出対象制御コマンドの検出に応じて、履歴生成方式を予め定められた履歴切替方式に基づいて切り替えるようにしたことから、変化する履歴データに同一の個体識別値を付加しても生成する認証情報は異なるため、不正な解析をより一層困難にすることができる。また、検知対象制御コマンドを付加方式の切り替えタイミングとしているので、遊技機の起動後においても、主制御部と周辺部は同期して切り替えることができる。
【００２５】
上述した遊技機において、履歴データ及び周辺側履歴データが複数回分の制御コマンドの履歴を示すようにしたことから、認証情報の送信回数を減らしても、その間に生じた制御コマンドの不正を検出することができるため、認証精度の向上を図ることができる。また、履歴データも複雑化するため、不正な解析をより一層困難にすることができる。
【図面の簡単な説明】
【００２６】
【図１】本発明のぱちんこ遊技機の遊技盤の一例を示す正面図である。
【図２】ぱちんこ遊技機の制御部の内部構成を示すブロック図である。
【図３】主制御基板および周辺基板の機能的構成を示すブロック図である。
【図４】主制御部による演出制御部の制御処理の一部を示すフローチャートである。
【図５】主制御部による演出制御部の制御処理の他の一部を示すフローチャートである。
【図６】大当たり関連コマンドの送信タイミングを示すタイミングチャートである。
【図７】演出制御部による図柄変動処理の手順を示すフローチャートである。
【図８】演出制御部による大当たり時処理の手順を示すフローチャートである。
【図９】ランプ制御部による図柄変動時のランプ制御処理の手順を示すフローチャートである。
【図１０】主制御部が出力する制御信号のデータフォーマットを模式的に示す説明図である。
【図１１】認証情報のデータフォーマットを示す説明図である。
【図１２】主制御部による被認証側処理の一例を示すフローチャートである。
【図１３】周辺部による認証側処理の一例を示すフローチャートである。
【図１４】認証情報を用いた場合の認証処理手順例を示すフローチャートである。
【図１５】主制御部による被認証側処理２の一例を示すフローチャートである。
【図１６】周辺部による認証側処理２の一例を示すフローチャートである。
【図１７】認証情報を用いた場合の認証処理手順例２を示すフローチャートである。
【発明を実施するための形態】
【００２７】
以下に添付図面を参照して、本発明にかかる遊技機であるぱちんこ遊技機と、このぱちんこ遊技機に搭載されている複数の基板間（主制御基板および周辺基板）の制御信号に含まれる制御コマンドを認証する認証方法および認証プログラムに好適な実施の形態を詳細に説明する。
【００２８】
［実施例１］
（ぱちんこ遊技機の基本構成）
本発明のぱちんこ遊技機１００は、図１に示す遊技盤１０１を備えている。遊技盤１０１の下部位置に配置された発射部２９２（図２参照）の駆動によって発射された遊技球は、レール１０２ａ，１０２ｂ間を上昇して遊技盤１０１の上部位置に達した後、遊技領域１０３内を落下する。図示を省略するが、遊技領域１０３には、遊技球を各種の方向に向けて落下させる複数の釘が設けられている。遊技領域１０３には、遊技球の落下途中の位置に、遊技球の落下方向を変化させる風車や入賞口が配設されている。
【００２９】
遊技盤１０１の遊技領域１０３の中央部分には、図柄表示部１０４が配置されている。図柄表示部１０４としては、例えば液晶表示器（ＬＣＤ）が用いられる。なお、図柄表示部１０４としては、ＬＣＤに限らず、ＣＲＴ、複数のドラム、などを用いることができる。図柄表示部１０４の下方には、始動入賞させるための始動入賞口１０５が配設されている。図柄表示部１０４の左右には、それぞれ入賞ゲート１０６が配設されている。
【００３０】
入賞ゲート１０６は、落下する遊技球の通過を検出し、始動入賞口１０５を一定時間だけ開放させる抽選を行うために設けられている。図柄表示部１０４の側部や下方などには普通入賞口１０７が配設されている。普通入賞口１０７に遊技球が入賞すると、ぱちんこ遊技機１００は普通入賞時の賞球数（例えば１０個）の払い出しを行う。遊技領域１０３の最下部には、どの入賞口にも入賞しなかった遊技球を回収する回収口１０８が設けられている。
【００３１】
上述した図柄表示部１０４は、特定の入賞口に遊技球が入賞したとき（始動入賞時）に、複数の図柄の表示の変動を開始し、所定時間後に図柄の表示の変動を停止する。この停止時に特定図柄（例えば「７７７」など）に揃ったときに、ぱちんこ遊技機１００は大当たり状態となる。そして、ぱちんこ遊技機１００は、大当たり状態のとき、遊技盤１０１の下方に位置する大入賞口１０９を一定の期間開放させ、この期間開放を所定ラウンド（例えば１５ラウンドなど）繰り返し、大入賞口１０９に入賞した遊技球に対応した賞球数を払い出す。
【００３２】
ぱちんこ遊技機１００は、図２に示す制御部２００を備えている。制御部２００は、主制御部２０１と、演出制御部２０２と、賞球制御部２０３と、を有している。そして、主制御部２０１は本発明の主制御基板に相当し、演出制御部２０２と賞球制御部２０３とはそれぞれ本発明の周辺基板に相当している。そして、主制御部２０１は、ぱちんこ遊技機１００の遊技にかかる基本動作を制御する。演出制御部２０２は、遊戯中の演出動作を制御する。賞球制御部２０３は、払い出す賞球数を制御する。
【００３３】
主制御部２０１は、ＣＰＵ２１１と、ＲＯＭ２１２と、ＲＡＭ２１３と、インタフェース（Ｉ／Ｆ）２１４と、を有している。ＣＰＵ２１１は、ＲＯＭ２１２に記憶されたプログラムデータに基づき、遊技内容の進行に伴う基本処理を実行する。ＲＯＭ２１２は、プログラムデータ等を記憶する記憶領域を有している。ＲＡＭ２１３は、ＣＰＵ２１１の演算処理時におけるデータのワークエリアとして機能する。Ｉ／Ｆ２１４は、各検出部２２１〜２２４から各種データを受信するとともに、演出制御部２０２及び賞球制御部２０３への各種データの送信を行う。主制御部２０１は、例えばいわゆる主制御基板によってその機能を実現する。
【００３４】
この主制御部２０１の入力側には、始動入賞口１０５に入賞した入賞球を検出する始動入賞口検出部２２１と、入賞ゲート１０６を通過した遊技球を検出するゲート検出部２２２と、普通入賞口１０７に入賞した遊技球を検出する普通入賞口検出部２２３と、大入賞口１０９に入賞した入賞球を検出する大入賞口検出部２２４と、がＩ／Ｆ２１４を介して電気的に接続されている。これらの検出部としては、近接スイッチなどを用いて構成できる。
【００３５】
この主制御部２０１の出力側には、大入賞口開閉部２３１が電気的に接続されており、主制御部２０１はこの大入賞口開閉部２３１の開閉を制御する。大入賞口開閉部２３１は、大当たり時に大入賞口１０９を一定期間開放する機能であり、ソレノイドなどを用いて構成できる。この大当たりは、生成した乱数（大当たり判定用乱数）に基づいて、所定の確率（例えば３００分の１など）で発生するよう予めプログラムされている。
【００３６】
演出制御部２０２は、主制御部２０１から各種の制御コマンドを含む制御信号を受け取り、このコマンドに基づいて、ＲＯＭ２４２に記憶されたプログラムデータを実行して遊技中における演出制御を行う。この演出制御部２０２は、ＣＰＵ２４１と、ＲＯＭ２４２と、ＲＡＭ２４３と、ＶＲＡＭ２４４と、インタフェース（Ｉ／Ｆ）２４５と、を有している。ＣＰＵ２４１は、ぱちんこ遊技機１００に対応した演出処理を実行する。ＲＡＭ２４３は、ＣＰＵ２４１の演出処理時におけるデータのワークエリアとして機能する。ＶＲＡＭ２４４は、図柄表示部１０４に表示させる画像データ等を記憶する。Ｉ／Ｆ２４５は、主制御部２０１からの各種データの受信およびランプ制御部２５１や音声制御部２５２への各種データの送信を行う。演出制御部２０２は、例えばいわゆる演出基板によってその機能を実現する。また、演出制御部２０２の出力側には、上述した図柄表示部（ＬＣＤ）１０４、ランプ制御部２５１、音声制御部２５２がＩ／Ｆ２４５を介して電気的に接続されている。ランプ制御部２５１はランプ２６１の点灯を制御する。また、音声制御部２５２はスピーカ２６２の音声等の出力を制御する。
【００３７】
賞球制御部２０３は、主制御部２０１から各種の制御コマンドを含む制御信号を受け取り、このコマンドに基づいて、ＲＯＭ２８２に記憶されたプログラムデータを実行して賞球制御を行う。この賞球制御部２０３は、ＣＰＵ２８１と、ＲＯＭ２８２と、ＲＡＭ２８３と、インタフェース（Ｉ／Ｆ）２８４と、を有している。ＣＰＵ２８１は、賞球制御の処理を実行する。ＲＡＭ２８３は、ＣＰＵ２８１の演算処理時におけるデータのワークエリアとして機能する。Ｉ／Ｆ２８４は、主制御部２０１からの各種データの受信および発射部２９２との各種データの送受信を行う。賞球制御部２０３は、例えばいわゆる賞球基板によってその機能を実現する。
【００３８】
賞球制御部２０３は、Ｉ／Ｆ２８４を介して接続される払出部２９１に対して、入賞時の賞球数を払い出す制御を行う。また、賞球制御部２０３は、発射部２９２に対する遊技球の発射の操作を検出し、発射部２９２における遊技球の発射を制御する。払出部２９１は、遊技球の貯留部から所定数を払い出すためのモータなどからなる。賞球制御部２０３は、この払出部２９１に対して、各入賞口（始動入賞口１０５、普通入賞口１０７、大入賞口１０９）に入賞した遊技球に対応した賞球数を払い出す制御を行う。
【００３９】
発射部２９２は、遊技のための遊技球を発射するものであり、遊技者による遊技操作を検出するセンサと、遊技球を発射させるソレノイドなどを備える。賞球制御部２０３は、発射部２９２のセンサにより遊技操作を検出すると、検出された遊技操作に対応してソレノイドなどを駆動させて遊技球を間欠的に発射させ、遊技盤１０１の遊技領域１０３に遊技球を送り出す。
【００４０】
上記構成の主制御部２０１と演出制御部２０２と賞球制御部２０３は、それぞれ異なるプリント基板（主制御基板、演出基板、賞球基板）に設けられる。なお、ぱちんこ遊技機１００の基板の構成は、これに限らず、例えば、賞球制御部２０３を、主制御部２０１又は演出制御部２０２と同一のプリント基板上に設けるなどの種々異なる構成とすることができる。
【００４１】
（主制御基板および周辺基板の機能的構成）
まず、図３を参照して、主制御部２０１としての機能を有する主制御基板３１０の機能的構成について説明する。主制御基板３１０は、周辺基板３３０を動作させるための制御コマンドを送信する機能部であり、データ記憶部３１１、履歴データ生成部３１２、選択部３１３、認証情報生成部３１４、送信部３１５、を有して構成している。そして、主制御基板３１０は、周辺基板３３０とは別の基板で形成されており、周辺基板３３０への単方向の通信が可能なように電気的に接続されている。
【００４２】
データ記憶部３１１は、本発明の個体識別値記憶手段に相当し、送信した制御コマンドデータ（制御コマンド）、認証情報、複数種類の個体識別値、履歴生成方式データ（履歴生成方式）、付加方式データ、等の各種データを記憶している。データ記憶部３１１としては、例えば、主制御部２０１のＲＯＭ２１２、ＲＡＭ２１３（図２参照）の一部を用いることができる。
【００４３】
データ記憶部３１１は、周辺部に送信した複数の制御コマンドと複数の認証情報を、ログデータとして時系列的に記憶する記憶領域を有している。そして、データ記憶部３１１に記憶する複数の制御コマンド及び認証情報の数は、任意に設定することができる。また、制御コマンド及び認証情報のデータ記憶部３１１に記憶するタイミングは、それが確定した時点、周辺部に送信した後、等のタイミングを任意に定めることができる。そして、本実施例では、例えば、大当たりリーチコマンド、大当たり開始コマンド、大当たりコマンド、大当たり終了コマンド、等の複数種類の制御コマンドを履歴対象としてデータ記憶部３１１に記憶する場合について説明するが、これに代えて、予め定められた１種類の制御コマンドのみを記憶することもできる。
【００４４】
データ記憶部３１１は、２種類以上の個体識別値を記憶する。そして、複数種類の個体識別値の各々は、主制御基板３１０（主制御部）の認証（個値識別）に周辺基板３３０が用いる値となっている。また、複数種類の個体識別値は、相異なるデータとなっている。個体識別値の一例としては、主制御部２１０のＲＯＭ２１２における複数種類の所定領域の各々のチェックサム、予め定められた固有の値、等が挙げられる。そして、履歴生成方式データは、履歴データ生成部３１２が用いる履歴生成方式を示しており、周辺基板３３０との間で予め定められており、起動時等に初期値が設定されてデータ記憶部３１１に記憶される。
【００４５】
履歴データ生成部３１２は、本発明の履歴データ生成手段に相当し、主制御基板３１０から周辺基板（周辺部）３３０に送信した制御コマンドの履歴を示す履歴データを、予め定められた履歴生成方式で生成する。履歴データ生成部３１２は、例えば、ぱちんこ遊技機１００における制御コマンドの発生（確定）から当該制御コマンドの周辺部への送信までの任意のタイミング、等の予め定められた生成タイミングに、履歴生成方式とデータ記憶部３１１に記憶している制御コマンドデータとに基づいて履歴データを生成して記憶する。そして、履歴データ生成部３１２は、所定の送信回数分の制御コマンドデータを、例えば、誤り検出方式、所定の暗号化方式、排他的論理和、等の履歴生成方式に基づいて算出して履歴データを生成する。即ち、履歴生成方式は、制御コマンドに対する履歴データを生成するに当たり、例えば、送信した単独の制御コマンドの遡及数、複数種類の制御コマンドの遡及範囲、等の履歴データの生成対象とする制御コマンドを規定する。そして、履歴データ生成部３１２が履歴データをチェックサムとして生成する場合、履歴データは単独種類の制御コマンドデータの複数回分の合計値や複数の制御コマンドデータの合計をとった合計値となる。なお、履歴データは、例えば前回や所定回数前等の１回分の制御コマンドをそのまま用いることで、後述する認証情報の生成時の処理を簡単化することができる。
【００４６】
なお、本実施例の履歴データ生成部３１２は、データ記憶部３１１が記憶している履歴データを、前記生成した履歴データに更新して記憶する場合について説明する。この場合、データ記憶部３１１は履歴データ記憶手段として機能することになる。これに代えて、例えばＣＰＵ２１１のレジスタ、ＲＡＭ２１３の所定記憶領域、等に履歴データを記憶する実施形態とすることもできる。また、履歴データ生成手段とその記憶手段を専用のハードウェアで実現することもできる。そして、履歴データ生成部３１２が、万一、個体識別値と同一の履歴データを生成した場合、例えば、認証情報生成部３１４がその履歴データを有する認証情報を生成しない、または、送信部３１５がその履歴データを有する認証情報を送信せずに破棄する、等の構成とする。または、履歴データ生成部３１２が、個体識別値とは異なる値の履歴データを生成するように設計する、履歴データのビット調整で対応するなどの種々異なる実施形態とすることができる。
【００４７】
選択部３１３は、本発明の選択手段に相当し、データ記憶部（個体識別値記憶手段）３１１が記憶している複数種類の個体識別値の中から１つの個体識別値を無作為に選択する。選択部３１３は、乱数等を用いて１つの個体識別値を無作為に選択してＲＡＭ２１３等に記憶する。即ち、選択部３１３は、複数種類の個体識別値を無作為に切り替えて選択することになる。よって、固定値である複数種類の個体認証値を用いても、選択した個体識別値を不規則に切り替えることができるため、認証情報に用いる個体識別値の不正な解析を困難にすることができる。また、選択部３１３は、例えば、１０回の選択のうち１回だけ予め定めた個体識別値を選択するなど、選択頻度を乱数等の設定で頻度を調整することができる。
【００４８】
認証情報生成部３１４は、本発明の認証情報生成手段に相当し、周辺部が主制御部の認証に用いる認証情報を生成する。認証情報生成部３１４は、選択部（選択手段）３１３が選択した個体識別値を、予め定められた付加方式でデータ記憶部３１１に記憶している最新の履歴データに付加して認証情報を生成する。即ち、認証情報生成部３１４が生成する認証情報は、履歴データと個体識別値とを付加した合成値である認証データを有している。また、付加方式は、主制御基板３１０が履歴データに個体識別値を付加するための方式であり、周辺基板３３０との間で予め定められている。そして、付加方式は、例えば、四則演算、ＸＯＲ、ＸＮＯＲ、等の複数種類の演算方式の中で予め定められた１つの演算方式であり、主制御基板３１０及び周辺基板３３０は、その演算方式を示す付加方式データをデータ記憶部３１１等に記憶している。また、本実施形態では、最新の履歴データに個体識別値を付加する場合について説明するが、これに代えて、例えば複数の履歴データを時系列的に記憶している場合は所定回数前の履歴データに付加するなど種々異なる実施形態とすることができる。
【００４９】
送信部３１５は、本発明の送信手段に相当し、認証情報生成部３１４が生成した認証情報と、周辺基板３３０を制御するための複数種類の制御コマンドとの各々を周辺基板（周辺部）３３０に送信する。そして、本実施形態の送信部３１５は、制御コマンドデータを主制御基板３１０から周辺基板３３０に制御信号として送信する。送信部３１５は、例えば、主制御基板３１０から周辺基板３３０に送信される制御信号とは別の信号である認証情報信号として認証情報を周辺基板３３０に送信する。これにより、ぱちんこ遊技機１００において、制御信号と認証情報信号とを区別化している。
【００５０】
続いて、上述した演出制御部２０２や賞球制御部２０３などの周辺部としての機能を有する周辺基板３３０の機能的構成について説明する。図３に示すように、周辺基板３３０は、受信部３３１、周辺側記憶部３３２、周辺側履歴データ生成部３３３、認証用履歴データ抽出部３３４、認証部３３５を有して構成している。
【００５１】
受信部３３１は、本発明の受信手段に相当し、主制御基板３１０によって送信された認証情報と制御コマンドデータ（制御コマンド）との各々を受信する。本実施形態の受信部３３１は、例えば、認証情報に対応した認証情報信号を受信することによって、認証情報を主制御基板３１０から受信する。また、受信部３３１は、前記制御信号を受信することによって制御コマンドデータを主制御基板３１０から受信する。
【００５２】
周辺側記憶部３３２は、本発明の期待値記憶手段に相当している。周辺側記憶部３３２としては、例えば、演出制御部２０２のＲＯＭ２４２、ＲＡＭ２４３（図２参照）の一部を用いることができる。また、周辺側記憶部３３２は、主制御基板３１０から受信した複数の制御コマンドと複数の認証情報を、主制御基板３１０と同様に、ログデータとして時系列的に記憶する記憶領域を有している。
【００５３】
周辺側記憶部３３２は、上述した主制御基板３１０から受信すべき複数種類の個体識別値、即ち、主制御基板３１０のデータ記憶部３１１が記憶している複数種類の個体識別値の各々と一致する複数種類の期待値を記憶している。これにより、周辺基板３３０は、認証情報の履歴データに付加された個体識別値が、正規の個体識別値であれば、複数種類の期待値の何れか１つと一致するため、認証情報から履歴データを周辺基板３３０は抽出することができる。また、認証情報の個体識別値が不正なものであれば、複数種類の期待値の何れとも一致しないため、認証情報から履歴データを周辺基板３３０は抽出できない。周辺側記憶部３３２は、主制御部２０１と同様の履歴生成方式データ及び付加方式データを記憶している。そして、履歴生成方式データは、周辺側履歴データ生成部３３３が用いる履歴生成方式を示しており、起動時等に初期値が設定されて周辺側記憶部３３２に記憶される。付加方式データは、認証用履歴データ抽出部３３４が用いる主制御基板３１０と同一の付加方式を示している。
【００５４】
周辺側履歴データ生成部３３３は、本発明の周辺側履歴データ生成手段に相当し、主制御基板３１０から受信した制御コマンドの履歴を示す周辺側履歴データを主制御基板３１０と同一の前記履歴生成方式で生成する。周辺側履歴データ生成部３３３は、主制御基板３１０からの制御コマンドの受信時、受信後、等の予め定められた周辺側生成タイミングに、主制御基板３１０と同一の履歴生成方式と周辺側記憶部３３２に記憶している制御コマンドデータとに基づいて周辺側履歴データを生成して記憶する。即ち、周辺側履歴データ生成部３３３は、所定の受信回数分の制御コマンドデータを、例えば誤り検出方式、所定の暗号化方式、排他的論理和、等の履歴生成方式に基づいて算出して履歴データを生成する。よって、周辺側履歴データは、主制御基板３１０が送信した制御コマンドデータのみを受信していれば、主制御基板３１０の履歴データと一致することになり、一致していなければ、不正な制御コマンドデータを受信していると判断することができる。
【００５５】
なお、本実施例の周辺側履歴データ生成部３３３は、周辺側記憶部３３２が記憶している周辺側履歴データを、前記生成した周辺側履歴データに更新して記憶する場合について説明する。この場合、周辺側記憶部３３２は周辺側履歴データ記憶手段として機能することになる。これに代えて、例えばＣＰＵ２４１，２８１のレジスタ、ＲＡＭ２４３，２８３の所定記憶領域、等に周辺側履歴データを記憶する実施形態とすることもできる。また、周辺側履歴データ生成手段とその記憶手段を専用のハードウェアで実現することもできる。
【００５６】
認証用履歴データ抽出部３３４は、本発明の認証用履歴データ抽出手段に相当し、複数種類の期待値と主制御基板３１０と同一の前記付加方式とに基づいて、主制御基板３１０から受信した認証情報から複数の認証用履歴データを抽出する。詳細には、認証用履歴データ抽出部３３４は、認証情報から複数種類の期待値の各々を前記付加方式で削除して複数の認証用履歴データを抽出して周辺側記憶部３３２に記憶する。即ち、認証用履歴データ抽出部３３４は、２個の期待値を用いている場合は２個の認証用履歴データを抽出し、また、３個の期待値を用いている場合は３個の認証用履歴データを抽出する。従って、複数の認証用履歴データは、認証情報（認証データ）から複数種類の期待値の各々を削除した値であることから、正規の認証情報を受信していれば、そこから抽出した複数の認証用履歴データのうちの１つは主制御基板３１０の履歴データとなっている。
【００５７】
認証部３３５は、本発明の認証手段に相当し、認証用履歴データ抽出部３３４が抽出した複数の認証用履歴データの中に、周辺側記憶部３３２に記憶している最新の周辺側履歴データと一致するものが存在するか否かの判定結果に基づいて、主制御基板（主制御部）３１０の認証を行う。認証部３３５は、周辺側履歴データと一致するものが存在した場合、受信した認証情報の履歴データは正当であると判断できるため、認証を成立させる。また、認証部３３５は、周辺側履歴データと一致するものが存在しない場合、例えば、不正によって履歴データと周辺側履歴データとが相違している、不正な認証情報が用いられた、等が考えられることから、受信した認証情報の履歴データ又は個体識別値は不正なものであると判断できるため、認証を不成立とする。即ち、認証部３３５は、主制御基板３１０（主制御部２０１）を通信の継続性（履歴データ）に基づいて認証を行っている。
【００５８】
なお、本実施例では、認証用履歴データ抽出部３３４が複数の認証用履歴データを抽出した後に、認証部３３５が複数の認証用履歴データの各々と周辺側履歴データとを比較する場合について説明するが、これに代えて、例えば、認証用履歴データ抽出部３３４が１つの認証用履歴データを抽出する毎に、認証部３３５が周辺側履歴データと比較する構成とすることもできる。
【００５９】
このように構成した周辺基板３３０は、主制御基板３１０から受信した複数種類の制御コマンドの各々に応じて、ぱちんこ遊技機１００における所定の処理を行う。周辺基板３３０は、認証部３３５が認証成立した場合、前記受信した制御信号が示す制御コマンドに対応した前記所定の処理を行い、また、認証不成立を示している場合は報知を行う。なお、前記所定の処理は、ぱちんこ遊技機１００における主制御部２０１からの複数種類の制御コマンドの各々に対応した処理であり、例えば、はずれ処理、大当たりリーチ処理、大当たり開始処理、大当たりラウンド処理、大当たり終了処理、等の処理が挙げられる。
【００６０】
また、本実施形態では、主制御基板３１０のＣＰＵ２１１が第１コンピュータ、周辺基板３３０のＣＰＵ２４１，２８１の各々が第２コンピュータとして機能させる場合について説明する。そして、主制御基板３１０のＲＯＭ２１２は、前記第１コンピュータを請求項中の履歴データ生成手段、選択手段、認証情報生成手段、送信手段、等の各種手段として機能させるための主制御側認証プログラムを記憶している。また、周辺基板３３０のＲＯＭ２４２，２８２の各々は、前記第２コンピュータを請求項中の受信手段、周辺側履歴データ生成手段、認証用履歴データ抽出部手段、認証手段、等の各種手段として機能させるための周辺側認証プログラムを記憶している。即ち、主制御側認証プログラムと周辺側認証プログラムによって本発明の認証プログラムを構成している。
【００６１】
（ぱちんこ遊技機の基本動作）
上記構成によるぱちんこ遊技機１００の基本動作の一例を説明する。主制御部２０１は、各入賞口に対する遊技球の入賞状況を制御コマンドとして賞球制御部２０３に出力する。賞球制御部２０３は、主制御部２０１から出力された制御コマンドに応じて、入賞状況に対応した賞球数の払い出しを行う。
【００６２】
また、主制御部２０１は、始動入賞口１０５に遊技球が入賞するごとに、対応する制御コマンドを演出制御部２０２に出力し、演出制御部２０２は、図柄表示部１０４の図柄を変動表示させ、停止させることを繰り返す。そして、主制御部２０１は、大当たりの発生が決定しているときには、対応する制御コマンドを演出制御部２０２に出力し、演出制御部２０２は、所定の図柄で揃えて変動表示を停止させるとともに、大入賞口１０９を開放する制御を行う。演出制御部２０２は、大当たり発生期間中、および大当たり発生までの間のリーチ時や、リーチ予告時などには、図柄表示部１０４に対して、図柄の変動表示に加えて各種の演出表示を行う。このほか、各種役物に対して特定の駆動を行ったり、ランプ２６１の表示状態を補正するなどの演出を行う。
【００６３】
そして、主制御部２０１は、大当たり発生期間中に、大入賞口１０９を複数回開放させる。１回の開放が１ラウンドとして、例えば１５回のラウンドが繰り返し実行される。１ラウンドの期間は、遊技球が大入賞口１０９に例えば１０個入賞するまでの期間、あるいは所定期間（例えば３０秒）とされている。この際、賞球制御部２０３は、大入賞口１０９に対する遊技球１個の入賞当たり、例えば１５個の賞球数で払い出しを行う。ぱちんこ遊技機１００は、大当たり終了後、この大当たり状態を解除し、通常の遊技状態に復帰する。
【００６４】
（各制御部による処理の詳細）
次に、各制御部が行う各種処理の詳細について説明する。まず、主制御部２０１による演出制御部２０２の制御処理について説明する。なお、図４〜図９においては、演出制御部２０２の制御処理の手順を明確にするため、認証データおよび付随データについては考慮しないものとする。即ち、図４〜図９の説明において、「コマンドを送信する」とは、「当該コマンドを示すデータ（制御コマンドデータ）を含む制御信号を送信する」との意味であり、例えば認証データや付随データの有無は考慮しないものとする。
【００６５】
主制御部２０１は、図４に示すステップＳ４０１において、ぱちんこ遊技機１００の電源がオンされたか否かを判定する。主制御部２０１は、電源がオンされていないと判定した場合（Ｓ４０１：Ｎｏ）、この判定処理を繰り返すことで、ぱちんこ遊技機１００の電源がオンされるまで待機する。一方、主制御部２０１は、電源がオンされたと判定した場合（Ｓ４０１：Ｙｅｓ）、ステップＳ４０２の処理に移行する。
【００６６】
主制御部２０１は、ステップＳ４０２において、演出制御部２０２や賞球制御部２０３などの各周辺部に対して電源オンコマンドを送信し、ステップＳ４０３の処理に移行する。この処理によって電源オンコマンドが送信されると、演出制御部２０２は、ランプ制御部２５１や音声制御部２５２、図柄表示部１０４のそれぞれに対して電源オン時の演出用の制御コマンド（具体的には、ランプの点灯や音声の出力、デモストレーション（デモ）画面の表示などを指示する制御コマンド）を送信する。
【００６７】
主制御部２０１は、ステップＳ４０３において、ＲＯＭ２１２またはＲＡＭ２１３に記憶している未抽選入賞回数データを参照して、未抽選入賞回数が０回か否かを判別する。未抽選入賞回数とは、始動入賞口１０５に検出された入賞球の数（入賞回数）から、入賞球に対応する抽選が行われた回数（既抽選回数）を減じた数である。そして、主制御部２０１は、未抽選入賞回数が０回ではないと判定した場合（Ｓ４０３：Ｎｏ）、ステップＳ４１０の処理に移行する。一方、主制御部２０１は、未抽選入賞回数が０回であると判定した場合（Ｓ４０３：Ｙｅｓ）、ステップＳ４０４において、デモが開始されてから経過した時間を計測し、ステップＳ４０５の処理に移行する。
【００６８】
主制御部２０１は、デモが開始されてから所定時間が経過したか否かを判定する。主制御部２０１は、デモが開始されてから所定時間が経過していないと判定した場合（Ｓ４０５：Ｎｏ）、ステップＳ４０７の処理に移行する。一方、主制御部２０１は、デモが開始されてから所定時間が経過したと判定した場合（Ｓ４０５：Ｙｅｓ）、ステップＳ４０６において、演出制御部２０２に客待ちデモコマンドを送信し、ステップＳ４０７の処理に移行する。
【００６９】
主制御部２０１は、ステップＳ４０７において、始動入賞口検出部２２１によって入賞球が検出されたか否かを判定する。主制御部２０１は、入賞球が検出されていないと判定した場合（Ｓ４０７：Ｎｏ）、ステップＳ４０４の処理に戻り、一連の処理を繰り返す。一方、主制御部２０１は、入賞球が検出されたと判定した場合（Ｓ４０７：Ｙｅｓ）、ステップＳ４０８において、デモが開始されてから計測していた時間をクリアし、ステップＳ４０９において、未抽選入賞回数に１を加算し、ステップＳ４１０の処理に移行する。そして、主制御部２０１は、ステップＳ４１０において、大当たり判定用乱数を取得し、ステップＳ４１１において、未抽選入賞回数から１を減算し、図５に示すステップＳ４１２の処理に移行する。
【００７０】
主制御部２０１は、ステップＳ４１２において、大当たり判定用乱数が大当たり乱数であるか否かを判定する。主制御部２０１は、大当たり乱数であると判定した場合（Ｓ４１２：Ｙｅｓ）、ステップＳ４１３において、演出制御部２０２に大当たりリーチコマンド（図柄変動コマンド）を送信する。そして、主制御部２０１は、ステップＳ４１４において、図柄変動時間が経過したか否かを判定する。主制御部２０１は、図柄変動時間が経過していないと判定した場合（Ｓ４１４：Ｎｏ）、この判定処理を繰り返すことで、図柄変動時間が経過するのを待つ。一方、主制御部２０１は、図柄変動時間が経過したと判定した場合（Ｓ４１４：Ｙｅｓ）、ステップＳ４１５において、演出制御部２０２に図柄停止コマンドを送信し、ステップＳ４１６の処理に移行する。
【００７１】
主制御部２０１は、ステップＳ４１６において、演出制御部２０２に大当たり開始コマンドを送信し、続けて、ステップＳ４１７において、大当たり中の各ラウンドに対応するコマンド（大当たりコマンド）を演出制御部２０２に順次送信する。そして、主制御部２０１は、全てのラウンドの大当たりコマンドの送信が終了すると、ステップＳ４１８において、大当たり終了コマンドを演出制御部２０２に送信し、ステップＳ４２２の処理に移行する。
【００７２】
また、主制御部２０１は、ステップＳ４１２において、大当たり乱数ではないと判定した場合（Ｓ４１２：Ｎｏ）、ステップＳ４１９において、はずれリーチコマンド（図柄変動コマンド）を演出制御部２０２に送信し、ステップＳ４２０の処理に移行する。そして、主制御部２０１は、ステップＳ４２０において、図柄変動時間が経過したか否かを判定する。主制御部２０１は、図柄変動時間が経過していないと判定した場合（Ｓ４２０：Ｎｏ）、この判定処理を繰り返すことで、図柄変動時間の経過を待つ。一方、主制御部２０１は、図柄変動時間が経過したと判定した場合（Ｓ４２０：Ｙｅｓ）、ステップＳ４２１において、図柄停止コマンドを演出制御部２０２に送信し、ステップＳ４２２の処理に移行する。
【００７３】
主制御部２０１は、ステップＳ４２２において、ぱちんこ遊技機１００の電源がオフされたか否かを判定する。主制御部２０１は、電源がオフされていないと判定した場合（Ｓ４２２：Ｎｏ）、図４に示すステップＳ４０３の処理に戻り、一連の処理を繰り返す。一方、主制御部２０１は、電源がオフされたと判定した場合（Ｓ４２２：Ｙｅｓ）、ステップＳ４２３において、終了処理コマンドを演出制御部２０２に送信し、本フローチャートによる処理を終了する。
【００７４】
上述した図４及び図５中の各種コマンドが、本発明の制御コマンドに相当し、主制御基板３１０は各種制御コマンドを送信する毎に、その制御コマンドデータをデータ記憶部３１１に履歴として記憶している。この制御コマンドデータの記憶に応じて、主制御基板３１０は、データ記憶部３１１の履歴データを更新する。なお、履歴データの更新については、複数種類の認証情報の生成時に更新するようにすれば、主制御基板３１０の処理負担を軽減することができる。また、周辺基板３３０は、各種制御コマンドを受信する毎に、その制御コマンドデータを周辺側記憶部３３２に履歴として記憶しており、周辺側記憶部３３２の周辺側履歴データを更新する。
【００７５】
次に、ぱちんこ遊技機１００における大当たり関連コマンド（大当たりリーチコマンド、大当たり開始コマンド、大当たりコマンド、大当たり終了コマンド）の主制御部２０１から演出制御部２０２に対する送信タイミングの一例を、図６の図面を参照して説明する。
【００７６】
大当たりリーチコマンドは、実際に大当たりが発生するよりも頻繁に、且つランダムに送信される。また、大当たり開始コマンドは、実際に大当たりが発生した場合に、大当たり状態に移行する際に１度だけ送信される。また、大当たりコマンドは、大当たり状態に移行した後、ラウンド毎に継続的に送信される。また、大当たり終了コマンドは、大当たり状態の全てのラウンドが終了し、通常の状態に移行する際に１度だけ送信される。
【００７７】
以下では、図柄変動時（大当たりリーチコマンド（図５のステップＳ４１３を参照）または、はずれリーチコマンド（図５のステップＳ４１９を参照）を受信した場合）及び、大当たり時の処理を説明する。
【００７８】
まず、演出制御部２０２による図柄変動処理について、図７に示すフローチャートを参照して説明する。演出制御部２０２は、図７に示すステップＳ７０１において、主制御部２０１から図柄変動コマンドを受信したか否かを判定する。演出制御部２０２は、図柄変動コマンドを受信していないと判定した場合（Ｓ７０１：Ｎｏ）、この判定処理を繰り返すことで、図柄変動コマンドの受信を待つ。一方、演出制御部２０２は、図柄変動コマンドを受信したと判定した場合（Ｓ７０１：Ｙｅｓ）、ステップＳ７０２において、変動演出選択用乱数を取得し、ステップＳ７０３において、取得した乱数に基づいて変動演出の種類を選択し、ステップＳ７０４の処理に移行する。そして、演出制御部２０２は、ステップＳ７０４において、ランプ制御部２５１や音声制御部２５２に対して変動演出別の演出開始コマンドを送信し、ステップＳ７０５の処理に移行する。
【００７９】
演出制御部２０２は、ステップＳ７０５において、演出時間が経過したか否かを判定する。演出制御部２０２は、演出時間が経過したと判定した場合（Ｓ７０５：Ｙｅｓ）、ステップＳ７０７の処理に移行する。一方、演出制御部２０２は、演出時間が経過していないと判定した場合（Ｓ７０５：Ｎｏ）、ステップＳ７０６において、主制御部２０１から図柄停止コマンドを受信したか否かを判定する。そして、演出制御部２０２は、図柄停止コマンドを受信していないと判定した場合（Ｓ７０６：Ｎｏ）、ステップＳ７０５の処理に戻り、一連の処理を繰り返す。一方、演出制御部２０２は、図柄停止コマンドを受信したと判定した場合（Ｓ７０６：Ｙｅｓ）、ステップＳ７０７において、ランプ制御部２５１や音声制御部２５２に対して演出停止コマンドを送信し、本フローチャートによる処理を終了する。
【００８０】
続いて、演出制御部２０２による大当たり時処理について、図８に示すフローチャートを参照して説明する。演出制御部２０２は、図８に示すステップＳ８０１において、主制御部２０１から大当たり開始コマンド（図５のステップＳ４１６を参照）を受信したか否かを判定する。演出制御部２０２は、大当たり開始コマンドを受信していないと判定した場合（Ｓ８０１：Ｎｏ）、この判定処理を繰り返すことで、大当たり開始コマンドの受信を待つ。一方、演出制御部２０２は、大当たり開始コマンドを受信したと判定した場合（Ｓ８０１：Ｙｅｓ）、ステップＳ８０２において、ランプ制御部２５１や音声制御部２５２に対して大当たり開始処理コマンドを送信し、ステップＳ８０３の処理に移行する。
【００８１】
演出制御部２０２は、ステップＳ８０３において、主制御部２０１からラウンド別の大当たりコマンド（図５のステップＳ４１７を参照）を受信したか否かを判定する。演出制御部２０２は、大当たりコマンドを受信していないと判定した場合（Ｓ８０３：Ｎｏ）、この判定処理を繰り返すことで、大当たりコマンドの受信を待つ。一方、演出制御部２０２は、大当たりコマンドを受信したと判定した場合（Ｓ８０３：Ｙｅｓ）、ステップＳ８０４において、ランプ制御部２５１や音声制御部２５２に対して受信したラウンド別の大当たりコマンドに対応するラウンド別処理コマンドを送信し、ステップＳ８０５の処理に移行する。
【００８２】
演出制御部２０２は、ステップＳ８０５において、主制御部２０１から大当たり終了コマンド（図５のステップＳ４１８を参照）を受信したか否かを判定する。演出制御部２０２は、大当たり終了コマンドを受信していないと判定した場合（Ｓ８０５：Ｎｏ）、この判定処理を繰り返すことで、大当たり終了コマンドの受信を待つ。一方、演出制御部２０２は、大当たり終了コマンドを受信したと判定した場合（Ｓ８０５：Ｙｅｓ）、ステップＳ８０６において、ランプ制御部２５１や音声制御部２５２に対して大当たり終了処理コマンドを送信し、本フローチャートによる処理を終了する。
【００８３】
続いて、ランプ制御部２５１によるランプ制御処理について、図９に示すフローチャートを参照して説明する。ここでは、演出制御部２０２から演出開始コマンドを受信した場合（図柄変動時）の処理について説明する。そして、ランプ制御部２５１は、図９に示すステップＳ９０１において、演出制御部２０２から演出開始コマンドを受信したか否かを判定する。ランプ制御部２５１は、演出開始コマンドを受信していないと判定した場合（Ｓ９０１：Ｎｏ）、この判定処理を繰り返すことで、演出開始コマンドの受信を待つ。一方、ランプ制御部２５１は、演出開始コマンドを受信したと判定した場合（Ｓ９０１：Ｙｅｓ）、ステップＳ９０２において、コマンド別に予め用意されているコマンド別データを読み出し、ステップＳ９０３の処理に移行する。
【００８４】
ランプ制御部２５１は、ステップＳ９０３において、コマンド別の選択ルーチンを実行し、ステップＳ９０４において、受信した演出開始コマンドに対応したランプデータをセットし、ステップＳ９０５において、ランプ２６１に対してランプデータを出力し、ステップＳ９０６の処理に移行する。そして、この処理によってランプ２６１は、ランプデータに基づいて点灯又は消灯する。
【００８５】
ランプ制御部２５１は、ステップＳ９０６において、演出制御部２０２から演出停止コマンドを受信したか否かを判定する。ランプ制御部２５１は、演出停止コマンドを受信していないと判定した場合（Ｓ９０６：Ｎｏ）、この判定処理を繰り返すことで、演出停止コマンドの受信を待つ。一方、ランプ制御部２５１は、演出停止コマンドを受信したと判定した場合（Ｓ９０６：Ｙｅｓ）、ステップＳ９０７において、ランプデータの出力を停止し、本フローチャートによる処理を終了する。
【００８６】
なお、図９にはランプ制御部２５１の処理を記載したが、音声制御部２５２による音声制御も、図９の処理とほぼ同様である。音声制御部２５２による音声制御処理は、例えば、図９の処理において、ステップＳ９０４、Ｓ９０５、Ｓ９０７の「ランプデータ」を「音声データ」と読み替えればよい。
【００８７】
（制御信号のデータフォーマット）
次に、主制御部２０１が出力する通常の制御信号の一例を説明する。
【００８８】
図１０において、通常の制御信号１０１０は、制御コマンドデータ１００１と付随データ１００２とを有している。制御コマンドデータ１００１は、例えばリーチコマンドや大当たり開始コマンド、ラウンド別コマンドなどの各コマンド固有のデータである。また、付随データ１００２は、制御コマンドデータ１００１に付随するデータであり、例えば、入賞した遊技球の数などの制御コマンドデータ１００１に基づく処理に必要なデータである。
【００８９】
（認証情報のデータフォーマット）
次に、上述した制御信号１０１０とは異なる認証情報信号が認証情報を有する場合の一例を説明する。なお、本実施形態では、主制御部２０１が周辺部に認証情報信号を出力することで、認証情報を主制御部２０１から周辺部に送信する場合を前提に説明する。
【００９０】
図１１において、認証情報１０２０は、識別部１０２１と、データ部１０２２と、を有して構成している。そして、識別部１０２１は、認証情報１０２０を識別することが可能な識別データが設定される。識別データの一例としては、１種類の認証コマンドが挙げられ、例えば１６進数の０ｘＡ０、０ｘＢ０、等の値が設定される。これにより、周辺部は、識別部１０２１に基づいて認証情報１０２０を識別することができる。そして、認証コマンドは、上述した制御コマンドデータ１００１の制御コマンドと異なるコマンドとすることで、制御コマンドデータ１００１との区別化を図っている。
【００９１】
データ部１０２２は、上述した履歴データに個体識別値が付加された認証データが設定される。なお、本実施形態では、認証情報１０２０が識別部１０２１とデータ部１０２２を有する場合について説明するが、これに代えて、識別部１０２１を排除して、データ部１０２２のみで認証情報１０２０を構成することもできる。
【００９２】
なお、本実施例では、認証情報１０２０が識別部１０２１とデータ部１０２２を有する構成の場合について説明するが、これに代えて、例えば、データ部１０２２のみを有する構成、データ部１０２２と他の付随データが設定される付随データ部とを有する構成、等の種々異なる構成とすることができる。
【００９３】
（付加方式の一例）
付加方式は、例えば、四則演算、ＸＯＲ、ＸＮＯＲ等の中から１つの演算方式をぱちんこ遊技機１００において予め定めておく。そして、付加方式を四則演算の「＋」と定めた場合、主制御基板３１０は、選択した個体識別値を履歴データに加算した認証データをデータ部１０２２にセットして認証情報１０２０を生成する。一方、周辺基板３３０は、受信した認証情報１０２０のデータ部１０２２にセットされたデータから複数種類の期待値の各々を減算して複数の認証用履歴データを抽出する。そして、複数種類の期待値は複数種類の個体識別値と一致していることから、周辺基板３３０がその期待値を削除すれば、抽出した複数の認証用データの中に１つの正規の履歴データが抽出できたことになるため、それは周辺側履歴データと一致している筈である。
【００９４】
また、付加方式を四則演算の「−」と定めた場合、主制御基板３１０は、選択した個体識別値を履歴データから減算した認証データをデータ部１０２２にセットして認証情報１０２０を生成する。一方、周辺基板３３０は、受信した認証情報１０２０のデータ部１０２２にセットされたデータから複数種類の期待値の各々を加算して複数の認証用履歴データを抽出する。このように実施しても、複数種類の期待値は複数種類の個体識別値と一致していることから、周辺基板３３０がその期待値を加算すれば、抽出した複数の認証用データの中に１つの正規の履歴データが抽出できたことになるため、それは周辺側履歴データと一致している筈である。
【００９５】
よって、付加方式は、周辺基板３３０が逆演算可能な演算方式であれば、どのような演算方式を用いてもよい。また、本実施形態では、主制御基板３１０が履歴データに個体識別値のみを付加する場合について説明するが、これに代えて、個体識別値と周辺基板３３０との間で予め定められた付加用データ（例えば、所定の値）の双方を付加するなどの種々異なる実施形態とすることができる。
【００９６】
（認証情報信号の送受信に関する処理）
以下に、主制御部２０１と周辺部との間で行う上記認証情報信号の通信例を説明する。まず、主制御部２０１のＣＰＵ２１１（第１コンピュータ）による認証情報信号の送信手順の一例を、図１２のフローチャートを参照して説明する。
【００９７】
ぱちんこ遊技機１００の電源がＯＮ（投入）されると、主制御部２０１は図１２に示す被認証側処理を実行し、ステップＳ１２０１において、データ記憶部３１１に記憶されている制御コマンドに基づいて、制御コマンドが発生しているか否かを判定する。主制御部２０１は、制御コマンドが発生していないと判定した場合（Ｓ１２０１：Ｎｏ）、ステップＳ１２０３の処理に進む。一方、主制御部２０１は、制御コマンドが発生していると判定した場合（Ｓ１２０１：Ｙｅｓ）、ステップＳ１２０２において、データ記憶部３１１の履歴生成方式データと該履歴生成方式が生成対象とする制御コマンドデータに基づいて、履歴データを生成してデータ記憶部３１１に記憶し、その後ステップＳ１２０３の処理に進む。
【００９８】
主制御部２０１は、ステップＳ１２０３において、予め定められた認証タイミングであるか否かを判定する。主制御部２０１は、認証タイミングではないと判定した場合（Ｓ１２０３：Ｎｏ）、ステップＳ１２０９の処理に進む。一方、主制御部２０１は、認証タイミングであると判定した場合（Ｓ１２０３：Ｙｅｓ）、ステップＳ１２０４の処理に進む。
【００９９】
主制御部２０１は、ステップＳ１２０４において、乱数、抽出用ソフトウェア、等に基づいて、データ記憶部３１１に記憶している複数種類の個体識別値の中から１つの個体識別値を無作為に抽出してＲＡＭ２１３等に記憶し、その後ステップＳ１２０５の処理に進む。そして、主制御部２０１は、ステップＳ１２０５において、前記抽出した個体識別値を、データ記憶部３１１に記憶している最新の履歴データに前記付加方式で付加した認証データ（合成値）を生成し、その後ステップＳ１２０６に進む。
【０１００】
主制御部２０１は、ステップＳ１２０６において、識別部１０２１に認証コマンドＣ、データ部１０２２に認証データを設定した認証情報１０２０を生成してデータ記憶部３１１に記憶し、その後ステップＳ１２０７の処理に進む。そして、主制御部２０１は、ステップＳ１２０７において、前記今回生成した認証情報１０２０を、周辺部との間で予め定められた暗号化方法で暗号化し、ステップＳ１２０８において、前記暗号化した認証情報１０２０に基づいて認証情報信号を生成して送信部３１５から周辺部に対して送信し、その後ステップＳ１２０９の処理に進む。なお、主制御部２０１と周辺部との間で暗号化が不要な場合は、ステップＳ１２０７の処理を削除して、認証情報１０２０をそのまま周辺部に送信する。
【０１０１】
主制御部２０１は、ステップＳ１２０９において、ぱちんこ遊技機１００の電源がオフされたか否かを判定する。そして、主制御部２０１は、電源がオフされていないと判定した場合（Ｓ１２０９：Ｎｏ）、ステップＳ１２０１の処理に戻り、一連の処理を繰り返す。一方、主制御部２０１は、電源がオフされたと判定した場合（Ｓ１２０９：Ｙｅｓ）、本フローチャートによる処理を終了する。
【０１０２】
続いて、周辺部のＣＰＵ２４１，２８１（第２コンピュータ）による前記認証情報信号の受信処理の手順を、図１３のフローチャートを参照して説明する。
【０１０３】
周辺部は、図１３に示す認証側処理を実行すると、ステップＳ１３０１において、周辺側記憶部３３２を参照して主制御部２０１から制御コマンドを受信しているか否かを判定する。周辺部は、制御コマンドを受信していないと判定した場合（Ｓ１３０１：Ｎｏ）、ステップＳ１３０３の処理に進む。一方、周辺部は、制御コマンドを受信していると判定した場合（Ｓ１３０１：Ｙｅｓ）、ステップＳ１３０２において、主制御部２０１と同様に、周辺側記憶部３３２の履歴生成方式データと該履歴生成方式が生成対象とする制御コマンドデータに基づいて、周辺側履歴データを生成して周辺側記憶部３３２に記憶し、その後ステップＳ１３０３の処理に進む。
【０１０４】
周辺部は、ステップＳ１３０３において、受信部３３１によって主制御部２０１から認証情報（認証情報信号）１０２０を受信したか否かを判定する。周辺部は、認証情報１０２０を受信していないと判定した場合（Ｓ１３０３：Ｎｏ）、ステップＳ１３１０の処理に進む。一方、周辺部は、認証情報１０２０を受信したと判定した場合（Ｓ１３０３：Ｙｅｓ）、ステップＳ１３０４の処理に進む。
【０１０５】
周辺部は、ステップＳ１３０４において、受信した認証情報１０２０を主制御部２０１の前記暗号化方式に対応した復号化方式で復号化し、該認証情報１０２０のデータ部１０２２から認証データを抽出し、該認証データから複数種類の期待値の各々を前記付加データに基づいて削除して複数の認証用履歴データを周辺側記憶部３３２に記憶し、その後ステップＳ１３０５の処理に進む。なお、主制御部２０１と周辺部との間で暗号化が不要な場合は、ステップＳ１３０４における復号化処理を削除する。
【０１０６】
周辺部は、ステップＳ１３０５において、前記抽出した複数の認証用履歴データの各々と周辺側記憶部３３２に記憶している最新の周辺側履歴データを比較し、周辺側履歴データと一致する認証用履歴データが存在したか否かの判定結果を周辺側記憶部３３２等に記憶し、その後ステップＳ１３０６に進む。
【０１０７】
周辺部は、ステップＳ１３０６において、一致する認証用履歴データが存在したと判定した場合（Ｓ１３０６：Ｙｅｓ）、履歴データと周辺側履歴データが一致しており、通信の継続性は正当であることから、ステップＳ１３０７において、主制御部２０１の認証を成立させ、その後ステップＳ１３１０の処理に進む。一方、周辺部は、一致する認証用履歴データが存在していないと判定した場合（Ｓ１３０６：Ｎｏ）、通信の継続性が正当ではない、又は、不正な認証情報であることから、ステップＳ１３０８において、主制御部２０１に対する認証を不成立とし、ステップＳ１３０９において、例えばスピーカ２６２（図２参照）等から報知信号を出力し、その後ステップＳ１３１０の処理に進む。
【０１０８】
周辺部は、ステップＳ１３１０において、ぱちんこ遊技機１００の電源がオフされたか否かを判定する。そして、周辺部は、電源がオフされていないと判定した場合（Ｓ１３１０：Ｎｏ）、ステップＳ１３０１の処理に戻り、一連の処理を繰り返す。一方、周辺部は、電源がオフされたと判定した場合（Ｓ１３１０：Ｙｅｓ）、本フローチャートによる処理を終了する。
【０１０９】
（認証処理の手順例）
次に、ぱちんこ遊技機１００において、主制御基板３１０と周辺基板３３０が２つの個体識別値及び期待値を用いる場合の認証例を、図１４の図面を参照して説明する。
【０１１０】
まず、前提条件として、主制御基板３１０は、２つの個体識別値Ａ１、Ａ２をデータ記憶部３１１に予め記憶しておき、付加方式を「＋」としている。一方、周辺基板３３０は、主制御基板３１０の個体識別値Ａ１、Ａ２と一致する２つの期待値Ｂ１、Ｂ２を周辺側記憶部３３２に予め記憶しておき、主制御基板３１０の付加方式が「＋」であることを記憶している。即ち、周辺基板３３０は、主制御基板３１０とは逆の付加方式である「−」を記憶している。
【０１１１】
図１４において、被認証者である主制御基板３１０は、ぱちんこ遊技機１００の動作に応じて制御コマンドを周辺基板３３０に送信すると、該制御コマンドをデータ記憶部３１１に記憶する（Ｓ１４０１）。そして、主制御基板３１０は、該送信した制御コマンドと前記履歴生成方式に基づいて履歴データを生成してデータ記憶部３１１に記憶する（Ｓ１４０２）。一方、周辺基板３３０は、制御コマンドを受信すると、該受信した制御コマンドを周辺側記憶部３３２に記憶すると共に、該制御コマンドに対応した所定の処理を行う（Ｓ１４５１）。そして、周辺基板３３０は、主制御基板３１０と同様に、該受信した制御コマンドと履歴生成方式に基づいて周辺側履歴データを生成して周辺側記憶部３３２に記憶する（Ｓ１４５２）。
【０１１２】
その後、主制御基板３１０は、２つの個体識別値Ａ１、Ａ２のうち、無作為に１つの個体識別値Ａ１を選択すると（Ｓ１４０３）、該選択した個体識別値Ａ１を最新の履歴データに加算（付加）した認証データＣ１を有する認証情報１０２０を生成して周辺基板３１０に送信する（Ｓ１４０４）。一方、周辺基板３３０は、受信した認証情報１０２０の認証データＣ１から複数の期待値Ｂ１、Ｂ２の各々を減算（削除）して認証用履歴データＣ１−Ｂ１、Ｃ１−Ｂ２を抽出し、該認証用履歴データＣ１−Ｂ１、Ｃ１−Ｂ２と最新の周辺側履歴データが一致するか否かに基づいて、主制御基板３１０との制御コマンドの通信の継続性に基づく認証を行う（Ｓ１４５３）。
【０１１３】
主制御基板３１０は、次の制御コマンドを周辺基板３３０に送信すると、該制御コマンドをデータ記憶部３１１に記憶する（Ｓ１４０５）。そして、主制御基板３１０は、該送信した制御コマンドと履歴生成方式に基づいて履歴データを生成してデータ記憶部３１１に記憶する（Ｓ１４０６）。一方、周辺基板３３０は、制御コマンドを受信すると、該受信した制御コマンドを周辺側記憶部３３２に記憶すると共に、該制御コマンドに対応した所定の処理を行う（Ｓ１４５４）。そして、周辺基板３３０は、主制御基板３１０と同様に、該受信した制御コマンドと履歴生成方式に基づいて周辺側履歴データを生成して周辺側記憶部３３２に記憶する（Ｓ１４５５）。
【０１１４】
その後、主制御基板３１０は、２つの個体識別値Ａ１、Ａ２のうち、無作為に１つの個体識別値Ａ２を選択すると（Ｓ１４０７）、該選択した個体識別値Ａ２を最新の履歴データに加算（付加）した認証データＣ２を有する認証情報１０２０を生成して周辺基板３１０に送信する（Ｓ１４０８）。一方、周辺基板３３０は、受信した認証情報１０２０の認証データＣ２から複数の期待値Ｂ１、Ｂ２の各々を減算（削除）して認証用履歴データＣ２−Ｂ１、Ｃ２−Ｂ２を抽出し、該認証用履歴データＣ２−Ｂ１、Ｃ２−Ｂ２と最新の周辺側履歴データが一致するか否かに基づいて、主制御基板３１０との制御コマンドの通信の継続性に基づく認証を行う（Ｓ１４５６）。
【０１１５】
主制御基板３１０は、次の制御コマンドを周辺基板３３０に送信すると、該制御コマンドをデータ記憶部３１１に記憶する（Ｓ１４０９）。そして、主制御基板３１０は、該送信した制御コマンドと履歴生成方式に基づいて履歴データを生成してデータ記憶部３１１に記憶する（Ｓ１４１０）。一方、周辺基板３３０は、制御コマンドを受信すると、該受信した制御コマンドを周辺側記憶部３３２に記憶すると共に、該制御コマンドに対応した所定の処理を行う（Ｓ１４５７）。そして、周辺基板３３０は、主制御基板３１０と同様に、該受信した制御コマンドと履歴生成方式に基づいて周辺側履歴データを生成して周辺側記憶部３３２に記憶する（Ｓ１４５８）。
【０１１６】
その後、主制御基板３１０は、２つの個体識別値Ａ１、Ａ２のうち、無作為に１つの個体識別値Ａ２を選択すると（Ｓ１４１１）、該選択した個体識別値Ａ２を最新の履歴データに加算（付加）した認証データＣ３を有する認証情報１０２０を生成して周辺基板３１０に送信する（Ｓ１４１２）。一方、周辺基板３３０は、受信した認証情報１０２０の認証データＣ３から複数の期待値Ｂ１、Ｂ２の各々を減算（削除）して認証用履歴データＣ３−Ｂ１、Ｃ３−Ｂ２を抽出し、該認証用履歴データＣ３−Ｂ１、Ｃ３−Ｂ２と最新の周辺側履歴データが一致するか否かに基づいて、主制御基板３１０との制御コマンドの通信の継続性に基づく認証を行う（Ｓ１４５９）。そして、以降も同様の処理を行う。
【０１１７】
以上説明したぱちんこ遊技機１００によれば、主制御基板３１０が制御コマンドの履歴を示す履歴データに、無作為に選択した個体識別値を付加した認証情報１０２０を生成して周辺基板３３０に送信するようにしたことから、周辺基板３３０が認証情報１０２０の履歴データを主制御基板３１０の認証に用いても、無作為に選択した個体識別値が不規則に変化するため、認証情報１０２０の規則性がなくなり、認証情報１０２０に対する不正解析の防止を期待することができる。また、主制御基板３１０は、複数種類の個体識別値から１つの個体識別値を無作為に選択して履歴データに付加するだけでよいため、主制御基板３１０に記憶するプログラムのコード量の増加及び主制御基板３１０の処理負荷の増加を抑止することができる。さらに、主制御基板３１０は複数種類の個体識別値を予め記憶しておくことができるため、認証情報１０２０の生成時に複雑な演算を行う必要がなくなり、主制御基板３１０の処理負担の増加を防止できる。一方、周辺基板３３０は、履歴データに基づいて制御コマンドの通信継続性を確認して認証するようにしたことから、不正な制御コマンドによる不正な通信切り替えを検出することができるため、不正な通信切り替え防止に貢献することができる。しかも、周辺基板３３０は、認証情報１０２０から複数種類の期待値を用いて認証用履歴データを抽出することから、履歴データに正規の個体識別値が付加されていない場合、認証用履歴データと周辺側履歴データは一致しないため、不正を確実に検出することができる。さらに、周辺基板３３０が複数種類の期待値の各々と認証情報１０２０との全ての組み合わせを確認して主制御基板３１０の認証を行うようにしたことから、主制御基板３１０は個体識別値を単に選択するだけで良くなり、複雑な処理を盛り込む必要がなくすことができる。また、例えば主制御基板３１０と周辺基板３３０との間に不正基板などが介入するような場合、該不正基板における解析負荷が増大するために処理能力を高くしなければならないため、コストや設計難易度を増大させて、不正基板の製作抑止に貢献することができる。従って、主制御基板３１０の処理負担を最小限にして、制御コマンドの通信継続性が確認でき且つ認証に用いる認証情報１０２０の解析を困難にすることができる。
【０１１８】
また、上述したぱちんこ遊技機１００において、履歴データ及び周辺側履歴データが複数回分の制御コマンドの履歴を示すようにすれば、認証情報１０２０の送信回数を減らしても、その間に生じた制御コマンドの不正を検出することができるため、認証精度の向上を図ることができる。そして、履歴データ及び周辺側履歴データを過去の履歴データを演算した値とすることで、不正な解析者による解析をより一層困難とすることができる。
【０１１９】
［実施例２］
以下に、上述したぱちんこ遊技機１００の実施例２を説明する。なお、上述した実施例１の構成と同一部分については、同一の符号を付して異なる部分のみを詳細に説明する。
【０１２０】
（主制御基板および周辺基板の機能的構成）
まず、ぱちんこ遊技機１００は、図３に示すように、主制御部２０１としての機能を有する主制御基板３１０と、上述した演出制御部２０２や賞球制御部２０３などの周辺部としての機能を有する周辺基板３３０と、を有して構成している。そして、主制御基板３１０は周辺基板３３０と単方向通信が可能なように電気的に接続されている。
【０１２１】
主制御基板３１０は、上述したデータ記憶部３１１、履歴データ生成部３１２、選択部３１３、認証情報記憶部３１４、送信部３１５と、図３中の破線で示す制御コマンド検出部３１６と、付加方式切替部３１７と、を有して構成している。
【０１２２】
制御コマンド検出部３１６は、本発明の制御コマンド検出手段に相当し、ぱちんこ遊技機１００における複数種類の制御コマンドの中から予め定められ且つデータ記憶部３１１に記憶している検出対象制御コマンド情報に設定されている検出対象制御コマンドの発生又は周辺基板３３０への送信を検出する。また、制御コマンド検出部３１６は、ぱちんこ遊技機１００の起動、最初の認証情報２０１０の生成又は送信、等に応じて検出を開始することができる。なお、検出対象制御コマンドとしては、複数種類の制御コマンドの中の１種類の制御コマンドとしても良いし、２種類以上の制御コマンドとしても良い。
【０１２３】
付加方式切替部３１７は、本発明の付加方式切替手段に相当し、制御コマンド検出部３１６の検出対象制御コマンドの検出に応じて、前記認証情報生成部３１４が用いる前記付加方式を予め定められた切替方式で切り替える。本実施形態では、切替方式として、複数の付加方式をテーブルとした切替情報をデータ記憶部３１１に記憶している。なお、切替情報の一例としては、相異なる付加方式Ｄ１、Ｄ２とその順番を規定するテーブル等が挙げられる。そして、付加方式切替部３１７は、制御コマンド検出部３１６の検出に応じて、前記切替情報に基づいてデータ記憶部３１１に記憶している付加方式データを付加方式Ｄ１、Ｄ２を切り替える。これにより、認証情報生成部３１４はデータ記憶部３１１の付加方式データを参照することで、付加方式切替部３１７によって切り替えられた付加方式で履歴データに個体識別値を付加して認証情報１０２０を生成することになる。
【０１２４】
続いて、周辺基板３３０は、実施例１と同様に、受信部３３１、周辺側記憶部３３２、周辺側履歴データ生成部３３３、認証用履歴データ抽出部３３４、認証部３３５と、図３中の破線で示す周辺側制御コマンド検出部３３６と、周辺側付加方式切替部３３７とを有して構成している。
【０１２５】
周辺側制御コマンド検出部３３６は、本発明の周辺側制御コマンド検出手段に相当し、ぱちんこ遊技機１００における複数種類の制御コマンドの中から予め定められ且つ主制御側記憶部３３２に予め記憶している主制御基板３１０と同一の前記検出対象制御コマンド情報に設定されている検出対象制御コマンドの主制御基板３１０からの受信を検出する。また、周辺側制御コマンド検出部３３６は、ぱちんこ遊技機１００の起動、主制御基板３１０からの最初の認証情報２０１０の受信、等に応じて検出を開始することができる。なお、検出対象制御コマンドとしては、主制御基板３１０と同様に、複数種類の制御コマンドの中の１種類の制御コマンドとしても良いし、２種類以上の制御コマンドとしても良い。
【０１２６】
周辺側付加方式切替部３３７は、本発明の周辺側付加方式切替手段に相当し、周辺側制御コマンド検出部３３６の検出に応じて、前記履歴データ抽出部３３４が用いる前記付加方式を前記主制御基板３１０と同一の前記切替方式（切替情報）で切り替える。即ち、周辺基板３１０は、主制御基板３１０と同一の前記切替情報を周辺側記憶部３３２に予め記憶している。そして、周辺側付加方式切替部３３７は、主制御基板３１０と同様に、周辺側制御コマンド検出部３３６の検出対象制御コマンドの検出に応じて、前記認証用履歴データ抽出部３３４が用いる前記付加方式を予め定められた切替方式で切り替える。これにより、前記認証用履歴データ抽出部３３４は周辺側記憶部３３２の付加方式データを参照することで、周辺側付加方式切替部３３７によって切り替えられた付加方式で認証情報１０２０から複数の認証用履歴データを抽出することになる。
【０１２７】
また、本実施形態では、主制御基板３１０のＣＰＵ２１１が第１コンピュータ、周辺基板３３０のＣＰＵ２４１，２８１の各々が第２コンピュータとして機能させる場合について説明する。そして、主制御基板３１０のＲＯＭ２１２は、前記第１コンピュータを請求項中の履歴データ生成手段、選択手段、認証情報生成手段、送信手段、制御コマンド検出手段、付加方式切替手段、等の各種手段として機能させるための主制御側認証プログラムを記憶している。また、周辺基板３３０のＲＯＭ２４２，２８２の各々は、前記第２コンピュータを請求項中の受信手段、周辺側履歴データ生成手段、認証用履歴データ抽出部手段、認証手段、周辺側制御コマンド検出手段、周辺側付加方式切替手段、等の各種手段として機能させるための周辺側認証プログラムを記憶している。即ち、主制御側認証プログラムと周辺側認証プログラムによって本発明の認証プログラムを構成している。
【０１２８】
（認証情報信号の送受信に関する処理２）
以下に、主制御部２０１と周辺部との間で行う上記認証情報信号の通信例を説明する。まず、主制御部２０１のＣＰＵ２１１（第１コンピュータ）による認証情報信号の送信手順２の一例を、図１５のフローチャートを参照して説明する。
【０１２９】
ぱちんこ遊技機１００の電源がＯＮ（投入）されると、主制御部２０１は図１５に示す被認証側処理を実行し、ステップＳ１５０１において、データ記憶部３１１に記憶されている制御コマンドに基づいて、制御コマンドが発生しているか否かを判定する。主制御部２０１は、制御コマンドが発生していないと判定した場合（Ｓ１５０１：Ｎｏ）、ステップＳ１５０５の処理に進む。一方、主制御部２０１は、制御コマンドが発生していると判定した場合（Ｓ１５０１：Ｙｅｓ）、ステップＳ１５０２において、データ記憶部３１１の履歴生成方式データと該履歴生成方式が生成対象とする制御コマンドデータに基づいて、履歴データを生成してデータ記憶部３１１に記憶し、その後ステップＳ１５０３の処理に進む。
【０１３０】
主制御部２０１は、ステップＳ１５０３において、前記発生した制御コマンドが、前記データ記憶部３１１に記憶している検出対象制御コマンド情報が示す検出対象制御コマンドであるか否かを判定する。主制御部２０１は、検出対象制御コマンドではないと判定した場合（Ｓ１５０３：Ｎｏ）、ステップＳ１５０５の処理に進む。一方、主制御部２０１は、検出対象制御コマンドであると判定した場合（Ｓ１５０３：Ｙｅｓ）、ステップＳ１５０４において、前記切替情報を参照して複数の付加方式を切り替え、該切り替えた付加方式を示すようにデータ記憶部３１１の付加方式データを更新し、その後ステップＳ１５０５の処理に進む。
【０１３１】
主制御部２０１は、ステップＳ１５０５において、予め定められた認証タイミングであるか否かを判定する。主制御部２０１は、認証タイミングではないと判定した場合（Ｓ１５０５：Ｎｏ）、ステップＳ１５１１の処理に進む。一方、主制御部２０１は、認証タイミングであると判定した場合（Ｓ１５０５：Ｙｅｓ）、ステップＳ１５０６の処理に進む。
【０１３２】
主制御部２０１は、ステップＳ１５０６において、乱数、抽出用ソフトウェア、等に基づいて、データ記憶部３１１に記憶している複数種類の個体識別値の中から１つの個体識別値を無作為に抽出してＲＡＭ２１３等に記憶し、その後ステップＳ１５０７の処理に進む。そして、主制御部２０１は、ステップＳ１５０７において、前記抽出した個体識別値を、データ記憶部３１１に記憶している最新の履歴データに、前記付加方式データが示す付加方式で付加した認証データ（合成値）を生成し、その後ステップＳ１５０８に進む。
【０１３３】
主制御部２０１は、ステップＳ１５０８において、識別部１０２１に認証コマンドＣ、データ部１０２２に認証データを設定した認証情報１０２０を生成してデータ記憶部３１１に記憶し、その後ステップＳ１５０９の処理に進む。そして、主制御部２０１は、ステップＳ１５０９において、前記今回生成した認証情報１０２０を、周辺部との間で予め定められた暗号化方法で暗号化し、ステップＳ１５１０において、前記暗号化した認証情報１０２０に基づいて認証情報信号を生成して送信部３１５から周辺部に対して送信し、その後ステップＳ１５１１の処理に進む。なお、主制御部２０１と周辺部との間で暗号化が不要な場合は、ステップＳ１５０９の処理を削除して、認証情報１０２０をそのまま周辺部に送信する。
【０１３４】
主制御部２０１は、ステップＳ１５１１において、ぱちんこ遊技機１００の電源がオフされたか否かを判定する。そして、主制御部２０１は、電源がオフされていないと判定した場合（Ｓ１５１１：Ｎｏ）、ステップＳ１５０１の処理に戻り、一連の処理を繰り返す。一方、主制御部２０１は、電源がオフされたと判定した場合（Ｓ１５１１：Ｙｅｓ）、本フローチャートによる処理を終了する。
【０１３５】
続いて、周辺部のＣＰＵ２４１，２８１（第２コンピュータ）による前記認証情報信号の受信処理の手順２を、図１６のフローチャートを参照して説明する。
【０１３６】
周辺部は、図１６に示す認証側処理を実行すると、ステップＳ１６０１において、周辺側記憶部３３２を参照して主制御部２０１から制御コマンドを受信しているか否かを判定する。周辺部は、制御コマンドを受信していないと判定した場合（Ｓ１６０１：Ｎｏ）、ステップＳ１６０５の処理に進む。一方、周辺部は、制御コマンドを受信していると判定した場合（Ｓ１６０１：Ｙｅｓ）、ステップＳ１６０２において、主制御部２０１と同様に、周辺側記憶部３３２の履歴生成方式データと該履歴生成方式が生成対象とする制御コマンドデータに基づいて、周辺側履歴データを生成して周辺側記憶部３３２に記憶し、その後ステップＳ１６０３の処理に進む。
【０１３７】
周辺部は、ステップＳ１６０３において、前記受信した制御コマンドが、前記周辺側記憶部３３２に記憶している検出対象制御コマンド情報が示す検出対象制御コマンドであるか否かを判定する。周辺部は、検出対象制御コマンドではないと判定した場合（Ｓ１６０３：Ｎｏ）、ステップＳ１６０５の処理に進む。一方、周辺部は、検出対象制御コマンドであると判定した場合（Ｓ１６０３：Ｙｅｓ）、ステップＳ１６０４において、主制御部２０１と同様に、前記切替情報を参照して複数の付加方式を切り替え、該切り替えた付加方式を示すように周辺側記憶部３３２の付加方式データを更新し、その後ステップＳ１６０５の処理に進む。
【０１３８】
周辺部は、ステップＳ１６０５において、受信部３３１によって主制御部２０１から認証情報（認証情報信号）１０２０を受信したか否かを判定する。周辺部は、認証情報１０２０を受信していないと判定した場合（Ｓ１６０５：Ｎｏ）、ステップＳ１６１２の処理に進む。一方、周辺部は、認証情報１０２０を受信したと判定した場合（Ｓ１６０５：Ｙｅｓ）、ステップＳ１６０６の処理に進む。
【０１３９】
周辺部は、ステップＳ１６０６において、受信した認証情報１０２０を主制御部２０１の前記暗号化方式に対応した復号化方式で復号化し、該認証情報１０２０のデータ部１０２２から認証データを抽出し、該認証データから複数種類の期待値の各々を前記付加データに基づいて削除して複数の認証用履歴データを周辺側記憶部３３２に記憶し、その後ステップＳ１６０７の処理に進む。なお、主制御部２０１と周辺部との間で暗号化が不要な場合は、ステップＳ１６０６における復号化処理を削除する。
【０１４０】
周辺部は、ステップＳ１６０７において、前記抽出した複数の認証用履歴データと周辺側記憶部３３２に記憶している最新の周辺側履歴データを比較し、一致するデータが存在したか否かの判定結果を周辺側記憶部３３２等に記憶し、その後ステップＳ１６０８に進む。
【０１４１】
周辺部は、ステップＳ１６０８において、一致するものが存在した場合（Ｓ１６０８：Ｙｅｓ）、履歴データが一致しており、通信の継続性は正当であることから、ステップＳ１６０９において、主制御部２０１の認証を成立させ、その後ステップＳ１６１２の処理に進む。一方、周辺部は、一致するものが存在しない場合（Ｓ１６０８：Ｎｏ）、通信の継続性が正当ではない、又は、不正な認証情報であることから、ステップＳ１６１０において、主制御部２０１に対する認証を不成立とし、ステップＳ１６１１において、例えばスピーカ２６２（図２参照）等から報知信号を出力し、その後ステップＳ１６１２の処理に進む。
【０１４２】
周辺部は、ステップＳ１６１２において、ぱちんこ遊技機１００の電源がオフされたか否かを判定する。そして、周辺部は、電源がオフされていないと判定した場合（Ｓ１６１２：Ｎｏ）、ステップＳ１６０１の処理に戻り、一連の処理を繰り返す。一方、周辺部は、電源がオフされたと判定した場合（Ｓ１６１２：Ｙｅｓ）、本フローチャートによる処理を終了する。
【０１４３】
（認証処理における付加方式の切り替え手順例）
次に、ぱちんこ遊技機１００において、主制御基板３１０と周辺基板３３０が２つの個体識別値及び期待値を用いる場合の認証例を、図１７の図面を参照して説明する。
【０１４４】
まず、前提条件として、主制御基板３１０は、２つの個体識別値Ａ１、Ａ２をデータ記憶部３１１に予め記憶しておき、付加方式Ｄ１が「＋」、付加方式Ｄ２が「−」としている。一方、周辺基板３３０は、主制御基板３１０の個体識別値Ａ１、Ａ２と一致する２つの期待値Ｂ１、Ｂ２を周辺側記憶部３３２に予め記憶しておき、主制御基板３１０と同一の付加方式Ｄ１、Ｄ２を記憶している。そして、主制御基板３１０及び周辺基板３３０は、初期設定を付加方式Ｄ１とし、前記切替情報は付加方式Ｄ１、Ｄ２の順番での切り替えを示している。
【０１４５】
図１７において、被認証者である主制御基板３１０は、ぱちんこ遊技機１００の動作に応じて制御コマンドを周辺基板３３０に送信すると、該制御コマンドをデータ記憶部３１１に記憶する（Ｓ１７０１）。そして、主制御基板３１０は、該送信した制御コマンドと前記履歴生成方式に基づいて履歴データを生成してデータ記憶部３１１に記憶する（Ｓ１７０２）。一方、周辺基板３３０は、制御コマンドを受信すると、該受信した制御コマンドを周辺側記憶部３３２に記憶すると共に、該制御コマンドに対応した所定の処理を行う（Ｓ１７５１）。そして、周辺基板３３０は、主制御基板３１０と同様に、該受信した制御コマンドと履歴生成方式に基づいて周辺側履歴データを生成して周辺側記憶部３３２に記憶する（Ｓ１７５２）。
【０１４６】
その後、主制御基板３１０は、２つの個体識別値Ａ１、Ａ２のうち、無作為に１つの個体識別値Ａ１を選択すると（Ｓ１７０３）、付加方式データには付加方式Ｄ１が設定されていることから、該選択した個体識別値Ａ１を最新の履歴データに加算（付加）した認証データＣ１を有する認証情報１０２０を生成して周辺基板３１０に送信する（Ｓ１７０４）。一方、周辺基板３３０は、主制御基板３１０と同様に、付加方式データには付加方式Ｄ１が設定されていることから、受信した認証情報１０２０の認証データＣ１から複数の期待値Ｂ１、Ｂ２の各々を減算（削除）して認証用履歴データＣ１−Ｂ１、Ｃ１−Ｂ２を抽出し、該認証用履歴データＣ１−Ｂ１、Ｃ１−Ｂ２と最新の周辺側履歴データが一致するか否かに基づいて、主制御基板３１０との制御コマンドの通信の継続性に基づく認証を行う（Ｓ１７５３）。
【０１４７】
主制御基板３１０は、次の制御コマンドを周辺基板３３０に送信すると、該制御コマンドをデータ記憶部３１１に記憶する（Ｓ１７０５）。そして、主制御基板３１０は、該送信した制御コマンドと履歴生成方式に基づいて履歴データを生成してデータ記憶部３１１に記憶する（Ｓ１７０６）。一方、周辺基板３３０は、制御コマンドを受信すると、該受信した制御コマンドを周辺側記憶部３３２に記憶すると共に、該制御コマンドに対応した所定の処理を行う（Ｓ１７５４）。そして、周辺基板３３０は、主制御基板３１０と同様に、該受信した制御コマンドと履歴生成方式に基づいて周辺側履歴データを生成して周辺側記憶部３３２に記憶する（Ｓ１７５５）。
【０１４８】
その後、主制御基板３１０は、２つの個体識別値Ａ１、Ａ２のうち、無作為に１つの個体識別値Ａ２を選択すると（Ｓ１７０７）、付加方式データには付加方式Ｄ１が設定されていることから、該選択した個体識別値Ａ２を最新の履歴データに加算（付加）した認証データＣ２を有する認証情報１０２０を生成して周辺基板３１０に送信する（Ｓ１７０８）。一方、周辺基板３３０は、主制御基板３１０と同様に、付加方式データには付加方式Ｄ１が設定されていることから、受信した認証情報１０２０の認証データＣ２から複数の期待値Ｂ１、Ｂ２の各々を減算（削除）して認証用履歴データＣ２−Ｂ１、Ｃ２−Ｂ２を抽出し、該認証用履歴データＣ２−Ｂ１、Ｃ２−Ｂ２と最新の周辺側履歴データが一致するか否かに基づいて、主制御基板３１０との制御コマンドの通信の継続性に基づく認証を行う（Ｓ１７５６）。
【０１４９】
主制御基板３１０は、次の制御コマンドを周辺基板３３０に送信すると、該制御コマンドをデータ記憶部３１１に記憶する（Ｓ１７０９）。そして、主制御基板３１０は、該送信した制御コマンドと履歴生成方式に基づいて履歴データを生成してデータ記憶部３１１に記憶する（Ｓ１７１０）。そして、主制御基板３１０は、前記検出対象制御コマンド情報が示す検出対象制御コマンドを検出すると（Ｓ１７１１）、データ記憶部３１１の付加方式データが付加方式Ｄ１を示していることから、前記切替情報が示す次の付加方式Ｄ２に切り替え、該付加方式Ｄ２を示すように前記付加方式データを更新する（Ｓ１７１２）。
【０１５０】
一方、周辺基板３３０は、制御コマンドを受信すると、該受信した制御コマンドを周辺側記憶部３３２に記憶すると共に、該制御コマンドに対応した所定の処理を行う（Ｓ１７５７）。そして、周辺基板３３０は、主制御基板３１０と同様に、該受信した制御コマンドと履歴生成方式に基づいて周辺側履歴データを生成して周辺側記憶部３３２に記憶する（Ｓ１７５８）。そして、周辺基板３３０は、周辺側記憶部３３２の前記検出対象制御コマンド情報が示す検出対象制御コマンドの受信を検出すると（Ｓ１７５９）、周辺側記憶部３３２の付加方式データが付加方式Ｄ１を示していることから、前記切替情報が示す次の付加方式Ｄ２に切り替え、該付加方式Ｄ２を示すように前記付加方式データを更新する（Ｓ１７６０）。
【０１５１】
その後、主制御基板３１０は、２つの個体識別値Ａ１、Ａ２のうち、無作為に１つの個体識別値Ａ２を選択すると（Ｓ１７１３）、付加方式データには付加方式Ｄ２が切り替えられて設定されていることから、該選択した個体識別値Ａ２を最新の履歴データから減算（付加）した認証データＣ３を有する認証情報１０２０を生成して周辺基板３１０に送信する（Ｓ１７１４）。一方、周辺基板３３０は、主制御基板３１０と同様に、付加方式データには付加方式Ｄ２が切り替えられて設定されていることから、受信した認証情報１０２０の認証データＣ３に複数の期待値Ｂ１、Ｂ２の各々を加算（削除）して認証用履歴データＣ３＋Ｂ１、Ｃ３＋Ｂ２を抽出し、該認証用履歴データＣ３＋Ｂ１、Ｃ３＋Ｂ２と最新の周辺側履歴データが一致するか否かに基づいて、主制御基板３１０との制御コマンドの通信の継続性に基づく認証を行う（Ｓ１７６１）。そして、以降も同様の処理を行う。
【０１５２】
以上説明したぱちんこ遊技機１００によれば、実施例１と同様に、主制御基板３１０が制御コマンドの履歴を示す履歴データに、無作為に選択した個体識別値を付加した認証情報１０２０を生成して周辺基板３３０に送信するようにしたことから、周辺基板３３０が認証情報１０２０の履歴データを主制御基板３１０の認証に用いても、無作為に選択した個体識別値が不規則に変化するため、認証情報１０２０の規則性がなくなり、認証情報１０２０に対する不正解析の防止を期待することができる。また、主制御基板３１０は、複数種類の個体識別値から１つの個体識別値を無作為に選択して履歴データに付加するだけでよいため、主制御基板３１０に記憶するプログラムのコード量の増加及び主制御基板３１０の処理負荷の増加を抑止することができる。さらに、主制御基板３１０は複数種類の個体識別値を予め記憶しておくことができるため、認証情報１０２０の生成時に複雑な演算を行う必要がなくなり、主制御基板３１０の処理負担の増加を防止できる。一方、周辺基板３３０は、履歴データに基づいて制御コマンドの通信継続性を確認して認証するようにしたことから、不正な制御コマンドによる不正な通信切り替えを検出することができるため、不正な通信切り替え防止に貢献することができる。しかも、周辺基板３３０は、認証情報１０２０から複数種類の期待値を用いて認証用履歴データを抽出することから、履歴データに正規の個体識別値が付加されていない場合、認証用履歴データと周辺側履歴データは一致しないため、不正を確実に検出することができる。さらに、周辺基板３３０が複数種類の期待値の各々と認証情報１０２０との全ての組み合わせを確認して主制御基板３１０の認証を行うようにしたことから、主制御基板３１０は個体識別値を単に選択するだけで良くなり、複雑な処理を盛り込む必要がなくすことができる。また、例えば主制御基板３１０と周辺基板３３０との間に不正基板などが介入するような場合、該不正基板における解析負荷が増大するために処理能力を高くしなければならないため、コストや設計難易度を増大させて、不正基板の製作抑止に貢献することができる。従って、主制御基板３１０の処理負担を最小限にして、制御コマンドの通信継続性が確認でき且つ認証に用いる認証情報１０２０の解析を困難にすることができる。
【０１５３】
また、上述したぱちんこ遊技機１００によれば、主制御基板３１０及び周辺基板３３０は、検出対象制御コマンドの検出に応じて、付加方式を予め定められた切替方式に基づいて切り替えるようにしたことから、同一の履歴データに同一の個体識別値を付加しても生成する認証情報１０２０は異なるため、不正な解析をより一層困難にすることができる。また、検知対象制御コマンドを付加方式の切り替えタイミングとしているので、ぱちんこ遊技機１００の起動後においても、主制御基板３１０と周辺基板３３０は同期して切り替えることができる。
【０１５４】
さらに、上述したぱちんこ遊技機１００において、履歴データ及び周辺側履歴データが複数回分の制御コマンドの履歴を示すようにすれば、認証情報１０２０の送信回数を減らしても、その間に生じた制御コマンドの不正を検出することができるため、認証精度の向上を図ることができる。そして、履歴データ及び周辺側履歴データを過去の履歴データを演算した値とすることで、不正な解析者による解析をより一層困難とすることができる。
【０１５５】
［実施例３］
上述した実施例２のぱちんこ遊技機１００は、主制御基板３１０及び周辺基板３３０が、検出対象制御コマンドの検出に応じて、付加方式を切り替える場合について説明したが、実施例３では、付加方式及び履歴生成方式の双方を切り替える場合について説明する。
【０１５６】
以下に、実施例３のぱちんこ遊技機１００の一例を説明する。なお、上述した実施例２の構成と同一部分については、同一の符号を付して異なる部分のみを詳細に説明する。
【０１５７】
（主制御基板および周辺基板の機能的構成）
主制御基板３１０は、上述した実施例２のデータ記憶部３１１、履歴データ生成部３１２、選択部３１３、認証情報記憶部３１４、送信部３１５、制御コマンド検出部３１６、付加方式切替部３１７と、図３中の破線で示す履歴生成方式切替部３１８と、を有して構成している。
【０１５８】
履歴生成方式切替部３１８は、本発明の履歴生成方式切替手段に相当し、前記制御コマンド検出部３１６の検出に応じて、前記履歴データ生成部３１２が用いる前記履歴生成方式を予め定められた履歴切替方式で切り替える。本実施形態では、履歴切替方式として、複数の履歴生成方式をテーブルとした履歴切替情報を前記切替情報と共にデータ記憶部３１１に記憶している。なお、履歴切替情報の一例としては、前記切替情報と同様に、相異なる履歴生成方式とその切り替え順番を規定するテーブル等が挙げられる。そして、履歴生成方式切替部３１８は、前記制御コマンド検出部３１６の検出に応じて、前記履歴切替情報に基づいてデータ記憶部３１１に記憶している履歴生成方式データを切り替える。これにより、前記履歴データ生成部３１２は、データ記憶部３１１の履歴生成方式データを参照することで、履歴生成方式切替部３１８によって切り替えられた履歴生成方式で履歴データを生成することになる。
【０１５９】
続いて、周辺基板３３０は、上述した実施例２の受信部３３１、周辺側記憶部３３２、周辺側履歴データ生成部３３３、認証用履歴データ抽出部３３４、認証部３３５、周辺側制御コマンド検出部３３６、周辺側付加方式切替部３３７と、図３中の破線で示す周辺側履歴生成方式切替部３３８と、を有して構成している。
【０１６０】
周辺側履歴生成方式切替部３３８は、本発明の周辺側履歴生成方式切替手段に相当し、周辺側制御コマンド検出部３３６の検出に応じて、前記周辺側履歴データ生成部３３３が用いる前記履歴生成方式を前記主制御基板３１０と同一の前記履歴切替方式（履歴切替情報）で切り替える。即ち、周辺基板３１０は、主制御基板３１０と同一の前記履歴切替情報を周辺側記憶部３３２に予め記憶している。そして、周辺側履歴生成方式切替部３３８は、主制御基板３１０と同様に、周辺側制御コマンド検出部３３６の検出対象制御コマンドの検出に応じて、前記周辺側履歴データ生成部３３３が用いる前記履歴生成方式データを予め定められた履歴切替方式で切り替える。これにより、前記周辺側履歴データ生成部３３３は周辺側記憶部３３２の履歴生成方式データを参照することで、周辺側履歴生成方式切替部３３８によって切り替えられた履歴生成方式で周辺側履歴データを生成することになる。
【０１６１】
また、本実施形態では、主制御基板３１０のＣＰＵ２１１が請求項中の第１コンピュータ、周辺基板３３０のＣＰＵ２４１，２８１の各々が請求項中の第２コンピュータとして機能させる場合について説明する。そして、主制御基板３１０のＲＯＭ２１２は、前記第１コンピュータを請求項中の履歴データ生成手段、選択手段、認証情報生成手段、送信手段、制御コマンド検出手段、付加方式切替手段、履歴生成方式切替手段、等の各種手段として機能させるための主制御側認証プログラムを記憶している。また、周辺基板３３０のＲＯＭ２４２，２８２の各々は、前記第２コンピュータを請求項中の受信手段、周辺側履歴データ生成手段、認証用履歴データ抽出部手段、認証手段、周辺側制御コマンド検出手段、周辺側付加方式切替手段、周辺側履歴生成方式切替手段、等の各種手段として機能させるための周辺側認証プログラムを記憶している。即ち、主制御側認証プログラムと周辺側認証プログラムによって本発明の認証プログラムを構成している。
【０１６２】
（認証情報信号の送受信に関する他の処理）
以下に、上述した構成において、主制御部２０１と周辺部との間で行う上記認証情報信号の通信例を説明する。まず、主制御部２０１のＣＰＵ２１１（第１コンピュータ）による認証情報信号の他の送信手順の一例を、上述した図１５のフローチャートを参照して説明する。なお、図１５に示すフローチャートの基本処理は同一であるため、異なる部分のみを説明する。
【０１６３】
ぱちんこ遊技機１００の電源がＯＮ（投入）されると、主制御部２０１は図１５に示す被認証側処理を実行し、ステップＳ１５０１〜Ｓ１５０３の処理が終了すると、主制御部２０１は、ステップ１５０４において、前記切替情報を参照して複数の付加方式を切り替え、該切り替えた付加方式を示すようにデータ記憶部３１１の付加方式データを更新すると共に、前記履歴切替情報を参照して複数の履歴生成方式を切り替え、該切り替えた履歴生成方式を示すようにデータ記憶部３１１の履歴生成方式データを更新し、その後ステップＳ１５０５の処理に進む。以降は、上述したステップＳ１５０５〜Ｓ１５１１の処理を実行する。
【０１６４】
続いて、周辺部のＣＰＵ２４１，２８１（第２コンピュータ）による前記認証情報信号の他の受信処理の手順を、図１６のフローチャートを参照して説明する。なお、図１６に示すフローチャートの基本処理は同一であるため、異なる部分のみを説明する。
【０１６５】
周辺部は、図１６に示す認証側処理を実行し、ステップＳ１６０１〜Ｓ１６０３の処理を終了すると、ステップ１６０４において、前記切替情報を参照して複数の付加方式を切り替え、該切り替えた付加方式を示すように周辺側記憶部３３２の付加方式データを更新すると共に、前記履歴切替情報を参照して複数の履歴生成方式を切り替え、該切り替えた履歴生成方式を示すように周辺側記憶部３３２の履歴生成方式データを更新し、その後ステップＳ１６０５の処理に進む。以降は、上述したステップＳ１６０５〜Ｓ１６１２の処理を実行する。
【０１６６】
（付加方式及び履歴生成方式の切り替え手順例）
次に、ぱちんこ遊技機１００において、主制御基板３１０と周辺基板３３０が２つの個体識別値及び期待値を用いる場合の認証例は、主制御基板３１０が図１７のステップＳ１７１２、周辺基板３３０が図１７のステップＳ１７６０のみを以下のように変更する。
【０１６７】
主制御基板３１０は、前記検出対象制御コマンド情報が示す検出対象制御コマンドを検出すると（Ｓ１７１１）、データ記憶部３１１の付加方式データが付加方式Ｄ１を示していることから、前記切替情報が示す次の付加方式Ｄ２に切り替え、該付加方式Ｄ２を示すように前記付加方式データを更新すると共に、前記履歴切替情報が示す次の履歴生成方式に切り替え、これを示すように前記履歴生成方式データを更新する（Ｓ１７１２）。
【０１６８】
一方、周辺基板３３０は、周辺側記憶部３３２の前記検出対象制御コマンド情報が示す検出対象制御コマンドの受信を検出すると（Ｓ１７５９）、周辺側記憶部３３２の付加方式データが付加方式Ｄ１を示していることから、前記切替情報が示す次の付加方式Ｄ２に切り替え、該付加方式Ｄ２を示すように前記付加方式データを更新すると共に、前記履歴切替情報が示す次の履歴生成方式に切り替え、これを示すように前記履歴生成方式データを更新する（Ｓ１７６０）。そして、以降も同様の処理を行う。
【０１６９】
以上説明したぱちんこ遊技機１００によれば、実施例２と同様に、主制御基板３１０が制御コマンドの履歴を示す履歴データに、無作為に選択した個体識別値を付加した認証情報１０２０を生成して周辺基板３３０に送信するようにしたことから、周辺基板３３０が認証情報１０２０の履歴データを主制御基板３１０の認証に用いても、無作為に選択した個体識別値が不規則に変化するため、認証情報１０２０の規則性がなくなり、認証情報１０２０に対する不正解析の防止を期待することができる。また、主制御基板３１０は、複数種類の個体識別値から１つの個体識別値を無作為に選択して履歴データに付加するだけでよいため、主制御基板３１０に記憶するプログラムのコード量の増加及び主制御基板３１０の処理負荷の増加を抑止することができる。さらに、主制御基板３１０は複数種類の個体識別値を予め記憶しておくことができるため、認証情報１０２０の生成時に複雑な演算を行う必要がなくなり、主制御基板３１０の処理負担の増加を防止できる。一方、周辺基板３３０は、履歴データに基づいて制御コマンドの通信継続性を確認して認証するようにしたことから、不正な制御コマンドによる不正な通信切り替えを検出することができるため、不正な通信切り替え防止に貢献することができる。しかも、周辺基板３３０は、認証情報１０２０から複数種類の期待値を用いて認証用履歴データを抽出することから、履歴データに正規の個体識別値が付加されていない場合、認証用履歴データと周辺側履歴データは一致しないため、不正を確実に検出することができる。さらに、周辺基板３３０が複数種類の期待値の各々と認証情報１０２０との全ての組み合わせを確認して主制御基板３１０の認証を行うようにしたことから、主制御基板３１０は個体識別値を単に選択するだけで良くなり、複雑な処理を盛り込む必要がなくすことができる。また、例えば主制御基板３１０と周辺基板３３０との間に不正基板などが介入するような場合、該不正基板における解析負荷が増大するために処理能力を高くしなければならないため、コストや設計難易度を増大させて、不正基板の製作抑止に貢献することができる。従って、主制御基板３１０の処理負担を最小限にして、制御コマンドの通信継続性が確認でき且つ認証に用いる認証情報１０２０の解析を困難にすることができる。
【０１７０】
また、上述したぱちんこ遊技機１００によれば、主制御基板３１０及び周辺基板３３０は、検出対象制御コマンドの検出に応じて、付加方式を予め定められた切替方式に基づいて切り替えるようにしたことから、同一の履歴データに同一の個体識別値を付加しても生成する認証情報１０２０は異なるため、不正な解析をより一層困難にすることができる。また、検知対象制御コマンドを付加方式の切り替えタイミングとしているので、ぱちんこ遊技機１００の起動後においても、主制御部と周辺部は同期して切り替えることができる。
【０１７１】
さらに、上述したぱちんこ遊技機１００によれば、主制御基板３１０及び周辺基板３３０は、検出対象制御コマンドの検出に応じて、付加方式を予め定められた切替方式に基づいて切り替える共に、履歴生成方式を予め定められた履歴切り替え方式で切り替えるようにしたことから、履歴データに個体識別値を付加する付加方式が切り替えられると共に、履歴データの履歴生成方式も切り替えられるため、生成する認証情報１０２０に継続性がなくなり、不正な解析をより一層困難にすることができる。
【０１７２】
また、上述したぱちんこ遊技機１００において、履歴データ及び周辺側履歴データが複数回分の制御コマンドの履歴を示すようにすれば、認証情報１０２０の送信回数を減らしても、その間に生じた制御コマンドの不正を検出することができるため、認証精度の向上を図ることができる。そして、履歴データ及び周辺側履歴データを過去の履歴データを演算した値とすることで、不正な解析者による解析をより一層困難とすることができる。
【０１７３】
続いて、上述した実施例２のぱちんこ遊技機１００は、複数種類の付加方式を検出対象制御コマンドの検出に応じて切り替える場合について説明したが、この「付加方式」を「履歴生成方式」に置き換えることで、主制御基板３１０及び周辺基板３３０は、検出対象制御コマンドの検出に応じて、履歴生成方式を予め定められた履歴切替方式に基づいて切り替えることができることから、変化する履歴データに同一の個体識別値を付加しても生成する認証情報は異なるため、不正な解析をより一層困難にすることができる。また、検知対象制御コマンドを付加方式の切り替えタイミングとできるので、ぱちんこ遊技機１００の起動後においても、主制御基板３１０と周辺基板３３０は同期して切り替えることができる。なお、履歴生成方式の切り替え方法は、実施例３の切り替え方法を用いることで実現できる。
【０１７４】
なお、本実施形態で説明した主制御部及び周辺部の制御方法は、予め用意されたプログラムをパーソナル・コンピュータやワークステーション等のコンピュータで実行することにより実現することができる。このプログラムは、ハードディスク、ＣＤ−ＲＯＭ、ＭＯ、ＤＶＤ、等のコンピュータで読み取り可能な記録媒体に記録され、コンピュータによって記録媒体から読み出されることによって実行される。また、このプログラムは、インターネット等のネットワークを介して配布することが可能な電送媒体であってもよい。
【産業上の利用可能性】
【０１７５】
以上のように、本発明は、主制御部への不正が懸念される遊技機やその遊技機に搭載される制御基板に有用であり、特に、ぱちんこ遊技機、スロット遊技機、雀球遊技機、その他各種の遊技機に適用することができる。これらの遊技機においても、上記各実施の形態と同様に構成することにより、上記各実施の形態と同様の効果を得ることができる。
【符号の説明】
【０１７６】
１００  ぱちんこ遊技機
３１０  主制御基板
３１１  データ記憶部
３１２  履歴データ生成部
３１３  選択部
３１４  認証情報生成部
３１５  送信部
３１６  制御コマンド検出部
３１７  付加方式切替部
３１８  履歴生成方式切替部
３３０  周辺基板
３３１  受信部
３３２  周辺側記憶部
３３３  周辺側履歴データ生成部
３３４  認証用履歴データ抽出部
３３５  認証部
３３６  周辺側制御コマンド検出部
３３７  周辺側付加方式切替部
３３８  周辺側履歴生成方式切替部
１０２０  認証情報
【図１】
0005228095.tif 000002
【図２】
0005228095.tif 000003
【図３】
0005228095.tif 000004
【図４】
0005228095.tif 000005
【図５】
0005228095.tif 000006
【図６】
0005228095.tif 000007
【図７】
0005228095.tif 000008
【図８】
0005228095.tif 000009
【図９】
0005228095.tif 000010
【図１０】
0005228095.tif 000011
【図１１】
0005228095.tif 000012
【図１２】
0005228095.tif 000013
【図１３】
0005228095.tif 000014
【図１４】
0005228095.tif 000015
【図１５】
0005228095.tif 000016
【図１６】
0005228095.tif 000017
【図１７】
0005228095.tif 000018